(57)【要約】  方法はワイヤレスデバイスによって実施される。方法は、第１の無線アクセス技術（ＲＡＴ）で送信する第１の設定最大送信電力値（Ｐ＿ｃｍａｘ１）を決定することを含む。Ｐ＿ｃｍａｘ１は、第１のＲＡＴの１つ又は複数の送信に基づいて決定される。方法はさらに、第２のＲＡＴで送信する第２の設定最大送信電力値（Ｐ＿ｃｍａｘ２）を決定することを含む。Ｐ＿ｃｍａｘ２は、第１のＲＡＴ及び第２のＲＡＴ両方の送信に基づいて決定される。方法はさらに、Ｐ＿ｃｍａｘ１以下の電力で第１のＲＡＴで送信を実施することを含む。方法はさらに、Ｐ＿ｃｍａｘ２以下の電力で第２のＲＡＴで送信を実施することを含む。【選択図】図１２
2021505033.tif 000002
【特許請求の範囲】
【請求項１】
第１の無線アクセス技術（ＲＡＴ）の１つ又は複数の送信に基づいて決定される、前記第１のＲＡＴで送信するための第１の設定最大送信電力値（Ｐ＿ｃｍａｘ１）を決定すること（１２１０）と、
前記第１のＲＡＴ及び第２のＲＡＴ両方の送信に基づいて決定される、前記第２のＲＡＴで送信するための第２の設定最大送信電力値（Ｐ＿ｃｍａｘ２）を決定すること（１２２０）と、
前記Ｐ＿ｃｍａｘ１以下の電力で前記第１のＲＡＴで送信を実施すること（１２３０）と、
前記Ｐ＿ｃｍａｘ２以下の電力で前記第２のＲＡＴで送信を実施すること（１２４０）と、を含む、ワイヤレスデバイスによって実施される方法（１２００）。
【請求項２】
前記Ｐ＿ｃｍａｘ１がさらに、少なくとも第１の最大電力低減値（ＭＰＲ１）に基づき、前記ＭＰＲ１が、前記第１のＲＡＴの前記１つ又は複数の送信に割り当てられるリソースブロックの数に基づいて決定される、請求項１に記載の方法。
【請求項３】
前記ＭＰＲ１が、前記第１のＲＡＴのみの送信に割り当てられるリソースブロックの前記数に基づいて決定される、請求項２に記載の方法。
【請求項４】
前記Ｐ＿ｃｍａｘ２がさらに、少なくとも第２の最大電力低減値（ＭＰＲ２）に基づき、前記ＭＰＲ２が、前記第１のＲＡＴ及び前記第２のＲＡＴ両方の前記送信に割り当てられるリソースブロックの数に基づいて決定される、請求項１から３のいずれか一項に記載の方法。
【請求項５】
前記Ｐ＿ｃｍａｘ２が、前記第１のＲＡＴの現在の送信の送信電力に少なくとも部分的に基づいて決定される、請求項１から４のいずれか一項に記載の方法。
【請求項６】
前記Ｐ＿ｃｍａｘ１を決定することが、前記Ｐ＿ｃｍａｘ１の下限及び上限を決定することと、前記下限及び前記上限内の値を前記Ｐ＿ｃｍａｘ１の値として使用することとを含む、請求項１から５のいずれか一項に記載の方法。
【請求項７】
前記Ｐ＿ｃｍａｘ２を決定することが、前記Ｐ＿ｃｍａｘ２の下限及び上限を決定することと、前記下限及び前記上限内の値を前記Ｐｃｍａｘ２の値として使用することとを含む、請求項１から６のいずれか一項に記載の方法。
【請求項８】
前記第１のＲＡＴで前記送信を実施することが、前記第１のＲＡＴの物理チャネル又は信号を送信することを含み、前記第１のＲＡＴの前記物理チャネル又は信号が、物理アップリンク共有チャネル（ＰＵＳＣＨ）、物理アップリンク制御チャネル（ＰＵＣＣＨ）、サウンディング参照信号（ＳＲＳ）、及び物理ランダムアクセスチャネル（ＰＲＡＣＨ）の１つであり、
前記第２のＲＡＴで前記送信を実施することが、前記第２のＲＡＴの物理チャネル又は信号を送信することを含み、前記第２のＲＡＴの前記物理チャネル又は信号が、ＰＵＳＣＨ、ＰＵＣＣＨ、ＰＲＡＣＨ、及びＳＲＳの１つである、請求項１から７のいずれか一項に記載の方法。
【請求項９】
前記第１のＲＡＴがロングタームエボリューション（ＬＴＥ）ＲＡＴであり、前記第２のＲＡＴが新無線（ＮＲ）ＲＡＴである、請求項１から８のいずれか一項に記載の方法。
【請求項１０】
前記Ｐ＿ｃｍａｘ１が、
ワイヤレスデバイス能力シグナリングの一部として前記ワイヤレスデバイスが前記ネットワークに対して示す電力クラス値（Ｐ＿ｐｏｗｅｒｃｌａｓｓ）、
前記第１の無線アクセス技術の最大許容電力値（Ｐ＿ＲＡＴ１）、
第１の最大電力低減値（ＭＰＲ１）、及び／又は、
第１のバックオフ値（ＢＯ１）、のうち１つ又は複数に基づいて決定される、請求項１から９のいずれか一項に記載の方法。
【請求項１１】
前記Ｐ＿ｃｍａｘ２が、
前記Ｐ＿ｐｏｗｅｒｃｌａｓｓ、
前記第２の無線アクセス技術の最大許容電力値（Ｐ＿ＲＡＴ２）、
第２の最大電力低減値（ＭＰＲ２）、
第２のバックオフ値（ＢＯ２）、
前記Ｐ＿ｃｍａｘ１、
前記ＭＰＲ１、及び／又は、
前記ＢＯ１、のうち１つ又は複数に基づいて決定される、請求項１０に記載の方法。
【請求項１２】
前記Ｐ＿ｃｍａｘ１が、前記ＭＰＲ１及び／又は前記ＢＯ１に少なくとも部分的に基づいて決定され、前記ＭＰＲ１及び／又は前記ＢＯ１が、前記ワイヤレスデバイスが前記第２のＲＡＴで送信するようにスケジューリングされているか否かに関わらず、送信がスケジューリングされていない前記第２のＲＡＴに基づいて、前記ワイヤレスデバイスによって決定される、請求項１０又は１１に記載の方法。
【請求項１３】
前記Ｐ＿ｃｍａｘ２が、前記ＭＰＲ２及び／又は前記ＢＯ２に少なくとも部分的に基づいて決定され、前記ＭＰＲ２及び／又は前記ＢＯ２が、前記第１のＲＡＴ及び前記第２のＲＡＴの両方に関してスケジューリングされた送信を考慮することによって、前記ワイヤレスデバイスによって決定される、請求項１１又は１２に記載の方法。
【請求項１４】
前記Ｐ＿ｃｍａｘ２が、
前記ＭＰＲ２及び／又は前記ＢＯ２の少なくとも１つ、並びに、
前記ＭＰＲ１、前記ＢＯ１、及び／又は前記Ｐ＿ｃｍａｘ１の少なくとも１つ、に少なくとも部分的に基づいて決定され、
前記ＭＰＲ２及び／又は前記ＢＯ２が、前記ワイヤレスデバイスが前記第１のＲＡＴで送信するようにスケジューリングされているか否かに関わらず、送信がスケジューリングされていない前記第１のＲＡＴに基づいて、前記ワイヤレスデバイスによって決定される、請求項１１から１３のいずれか一項に記載の方法。
【請求項１５】
前記Ｐ＿ｃｍａｘ２が前記Ｐ＿ＲＡＴ２よりも低く、前記Ｐ＿ｃｍａｘ２が前記Ｐ＿ｃｍａｘ１よりも低い、請求項１１から１４のいずれか一項に記載の方法。
【請求項１６】
前記第１のＲＡＴで実施される前記送信、及び前記第２のＲＡＴで実施される前記送信の電力が両方とも、前記Ｐ＿ｃｍａｘ２に基づいて制限される、請求項１から１５のいずれか一項に記載の方法。
【請求項１７】
前記ＭＰＲ１がさらに、前記第１のＲＡＴの前記１つ又は複数の送信に割り当てられるリソースブロックの位置に基づく、請求項２又は３に記載の方法。
【請求項１８】
前記ＭＰＲ１がさらに、前記第１のＲＡＴのみの送信に割り当てられるリソースブロックの位置に基づく、請求項１７に記載の方法。
【請求項１９】
前記ＭＰＲ２がさらに、前記第２のＲＡＴ及び前記第１のＲＡＴの前記送信に割り当てられるリソースブロックの位置に基づく、請求項２から４、１６及び１７のいずれか一項に記載の方法。
【請求項２０】
前記ＭＰＲ２が、前記第２のＲＡＴのみの送信に割り当てられるリソースブロックの数及び／又は位置に基づき、
前記Ｐ＿ｃｍａｘ２が、前記ＭＰＲ２に少なくとも部分的に基づいて決定される、請求項１１から１５のいずれか一項に記載の方法。
【請求項２１】
前記第２の無線アクセス技術の前記送信が前記Ｐ＿ｃｍａｘ１の決定で使用されない、請求項１から２０のいずれか一項に記載の方法。
【請求項２２】
命令を記憶するように設定されたメモリ（１３０、２１５、３９０−１、３９０−２）と、
前記命令を実行するように設定された処理回路（１２０、２０１、３６０、５３８）とを備え、ワイヤレスデバイスが、
第１の無線アクセス技術（ＲＡＴ）の１つ又は複数の送信に基づいて決定される、前記第１のＲＡＴで送信するための第１の設定最大送信電力値（Ｐ＿ｃｍａｘ１）を決定し、
前記第１のＲＡＴ及び第２のＲＡＴ両方の送信に基づいて決定される、前記第２のＲＡＴで送信するための第２の設定最大送信電力値（Ｐ＿ｃｍａｘ２）を決定し、
前記Ｐ＿ｃｍａｘ１以下の電力で前記第１のＲＡＴで送信を実施し、
前記Ｐ＿ｃｍａｘ２以下の電力で前記第２のＲＡＴで送信を実施するように設定される、ワイヤレスデバイス（１１０、２００、３３０、４９１、４９２、５３０）。
【請求項２３】
前記Ｐ＿ｃｍａｘ１がさらに、少なくとも第１の最大電力低減値（ＭＰＲ１）に基づき、前記ＭＰＲ１が、前記第１のＲＡＴの前記１つ又は複数の送信に割り当てられるリソースブロックの数に基づいて決定される、請求項２２に記載のワイヤレスデバイス。
【請求項２４】
前記ＭＰＲ１が、前記第１のＲＡＴのみの送信に割り当てられるリソースブロックの前記数に基づいて決定される、請求項２３に記載の方法。
【請求項２５】
前記Ｐ＿ｃｍａｘ２がさらに、少なくとも第２の最大電力低減値（ＭＰＲ２）に基づき、ＭＰＲ２が、前記第１のＲＡＴ及び前記第２のＲＡＴの前記送信に割り当てられるリソースブロックの前記数に基づいて決定される、請求項２２から２４のいずれか一項に記載のワイヤレスデバイス。
【請求項２６】
前記Ｐ＿ｃｍａｘ２が、前記第１のＲＡＴの現在の送信の送信電力に少なくとも部分的に基づいて決定される、請求項２２から２５のいずれか一項に記載のワイヤレスデバイス。
【請求項２７】
前記Ｐ＿ｃｍａｘ１を決定することが、前記Ｐ＿ｃｍａｘ１の下限及び上限を決定することと、前記下限及び前記上限内の値をＰ＿ｃｍａｘ１の値として使用することとを含む、請求項２２から２６のいずれか一項に記載のワイヤレスデバイス。
【請求項２８】
前記Ｐ＿ｃｍａｘ２を決定することが、前記Ｐ＿ｃｍａｘ２の下限及び上限を決定することと、前記下限及び前記上限内の値を前記Ｐ＿ｃｍａｘ２の値として使用することとを含む、請求項２２から２７のいずれか一項に記載のワイヤレスデバイス。
【請求項２９】
前記第１のＲＡＴで前記送信を実施することが、前記第１のＲＡＴの物理チャネル又は信号を送信することを含み、前記第１のＲＡＴの前記物理チャネル又は信号が、物理アップリンク共有チャネル（ＰＵＳＣＨ）、物理アップリンク制御チャネル（ＰＵＣＣＨ）、サウンディング参照信号（ＳＲＳ）、及び物理ランダムアクセスチャネル（ＰＲＡＣＨ）の１つであり、
前記第２のＲＡＴで前記送信を実施することが、前記第２のＲＡＴの物理チャネル又は信号を送信することを含み、前記第２のＲＡＴの前記物理チャネル又は信号が、ＰＵＳＣＨ、ＰＵＣＣＨ、ＰＲＡＣＨ、及びＳＲＳの１つである、請求項２２から２８のいずれか一項に記載のワイヤレスデバイス。
【請求項３０】
前記第１のＲＡＴがロングタームエボリューション（ＬＴＥ）ＲＡＴであり、前記第２のＲＡＴが新無線（ＮＲ）ＲＡＴである、請求項２２から２９のいずれか一項に記載のワイヤレスデバイス。
【請求項３１】
前記Ｐ＿ｃｍａｘ１が、
ワイヤレスデバイス能力シグナリングの一部として前記ワイヤレスデバイスが前記ネットワークに対して示す電力クラス値（Ｐ＿ｐｏｗｅｒｃｌａｓｓ）、
前記第１の無線アクセス技術の最大許容電力値（Ｐ＿ＲＡＴ１）、
第１の最大電力低減値（ＭＰＲ１）、及び／又は、
第１のバックオフ値（ＢＯ１）、のうち１つ又は複数に基づいて決定される、請求項２２から３０のいずれか一項に記載のワイヤレスデバイス。
【請求項３２】
前記Ｐ＿ｃｍａｘ２が、
前記Ｐ＿ｐｏｗｅｒｃｌａｓｓ、
前記第２の無線アクセス技術の最大許容電力値（Ｐ＿ＲＡＴ２）、
第２の最大電力低減値（ＭＰＲ２）、
第２のバックオフ値（ＢＯ２）、
前記Ｐ＿ｃｍａｘ１、
前記ＭＰＲ１、及び／又は、
前記ＢＯ１、のうち１つ又は複数に基づいて決定される、請求項３１に記載のワイヤレスデバイス。
【請求項３３】
前記Ｐ＿ｃｍａｘ１が、前記ＭＰＲ１及び／又は前記ＢＯ１に少なくとも部分的に基づいて決定され、前記ＭＰＲ１及び／又は前記ＢＯ１が、前記ワイヤレスデバイスが前記第２のＲＡＴで送信するようにスケジューリングされているか否かに関わらず、送信がスケジューリングされていない前記第２のＲＡＴに基づいて、前記ワイヤレスデバイスによって決定される、請求項３１又は３２に記載のワイヤレスデバイス。
【請求項３４】
前記Ｐ＿ｃｍａｘ２が、前記ＭＰＲ２及び／又は前記ＢＯ２に少なくとも部分的に基づいて決定され、前記ＭＰＲ２及び／又は前記ＢＯ２が、前記第１のＲＡＴ及び前記第２のＲＡＴの両方に関してスケジューリングされた送信を考慮することによって、前記ワイヤレスデバイスによって決定される、請求項３２又は３３に記載のワイヤレスデバイス。
【請求項３５】
前記Ｐ＿ｃｍａｘ２が、
前記ＭＰＲ２及び／又は前記ＢＯ２の少なくとも１つ、並びに、
前記ＭＰＲ１、前記ＢＯ１、及び／又は前記Ｐ＿ｃｍａｘ１の少なくとも１つ、に少なくとも部分的に基づいて決定され、
前記ＭＰＲ２及び／又は前記ＢＯ２が、前記ワイヤレスデバイスが前記第１のＲＡＴで送信するようにスケジューリングされているか否かに関わらず、送信がスケジューリングされていない前記第１のＲＡＴに基づいて、前記ワイヤレスデバイスによって決定される、請求項３２から３４のいずれか一項に記載のワイヤレスデバイス。
【請求項３６】
前記Ｐ＿ｃｍａｘ２が前記Ｐ＿ＲＡＴ２よりも低く、前記Ｐ＿ｃｍａｘ２が前記Ｐ＿ｃｍａｘ１よりも低い、請求項３２から３５のいずれか一項に記載のワイヤレスデバイス。
【請求項３７】
前記第１のＲＡＴで実施される前記送信、及び前記第２のＲＡＴで実施される前記送信の電力が両方とも、前記Ｐ＿ｃｍａｘ２に基づいて制限される、請求項２２から３６のいずれか一項に記載のワイヤレスデバイス。
【請求項３８】
前記ＭＰＲ１がさらに、前記第１のＲＡＴの前記１つ又は複数の送信に割り当てられるリソースブロックの位置に基づく、請求項２３又は２４に記載のワイヤレスデバイス。
【請求項３９】
前記ＭＰＲ１がさらに、前記第１のＲＡＴのみの送信に割り当てられるリソースブロックの位置に基づく、請求項３８に記載のワイヤレスデバイス。
【請求項４０】
前記ＭＰＲ２がさらに、前記第２のＲＡＴ及び前記第１のＲＡＴの前記送信に割り当てられるリソースブロックの位置に基づく、請求項２３から２４、３８及び３９のいずれか一項に記載のワイヤレスデバイス。
【請求項４１】
前記ＭＰＲ２が、前記第２のＲＡＴのみの送信に割り当てられるリソースブロックの数及び／又は位置に基づき、
前記Ｐ＿ｃｍａｘ２が、前記ＭＰＲ２に少なくとも部分的に基づいて決定される、請求項３２から３６のいずれか一項に記載のワイヤレスデバイス。
【請求項４２】
前記第２のＲＡＴの前記送信が前記Ｐ＿ｃｍａｘ１の決定で使用されない、請求項２２から４１のいずれか一項に記載のワイヤレスデバイス。
【請求項４３】
コンピュータ可読プログラムコードを記憶する非一時的コンピュータ可読媒体（１３０、２１５、３９０−１、３９０−２）を備え、前記コンピュータ可読プログラムコードが、
第１の無線アクセス技術（ＲＡＴ）の１つ又は複数の送信に基づいて決定される、前記第１のＲＡＴで送信するための第１の設定最大送信電力値（Ｐ＿ｃｍａｘ１）を決定するプログラムコードと、
前記第１のＲＡＴ及び第２のＲＡＴ両方の送信に基づいて決定される、前記第２のＲＡＴで送信するための第２の設定最大送信電力値（Ｐ＿ｃｍａｘ２）を決定するプログラムコードと、
前記Ｐ＿ｃｍａｘ１以下の電力で前記第１のＲＡＴで送信を実施するプログラムコードと、
前記Ｐ＿ｃｍａｘ２以下の電力で前記第２のＲＡＴで送信を実施するプログラムコードと、を含む、コンピュータプログラム製品。
【請求項４４】
前記Ｐ＿ｃｍａｘ１がさらに、少なくとも第１の最大電力低減値（ＭＰＲ１）に基づき、前記ＭＰＲ１が、前記第１のＲＡＴの前記１つ又は複数の送信に割り当てられるリソースブロックの数に基づいて決定される、請求項４３に記載のコンピュータプログラム製品。
【請求項４５】
前記ＭＰＲ１が、前記第１のＲＡＴのみの送信に割り当てられるリソースブロックの前記数に基づいて決定される、請求項４４に記載のコンピュータプログラム製品。
【請求項４６】
前記Ｐ＿ｃｍａｘ２がさらに、少なくとも第２の最大電力低減値（ＭＰＲ２）に基づき、ＭＰＲ２が、前記第１のＲＡＴ及び前記第２のＲＡＴの前記送信に割り当てられるリソースブロックの前記数に基づいて決定される、請求項４３から４５のいずれか一項に記載のコンピュータプログラム製品。
【請求項４７】
前記Ｐ＿ｃｍａｘ２が、前記ＲＡＴの現在の送信の送信電力に少なくとも部分的に基づいて決定される、請求項４３から４６のいずれか一項に記載のコンピュータプログラム製品。
【請求項４８】
前記Ｐ＿ｃｍａｘ１を決定する前記プログラムコードが、前記Ｐ＿ｃｍａｘ１の下限及び上限を決定し、前記下限及び前記上限内の値を前記Ｐ＿ｃｍａｘ１の値として使用するプログラムコードを含む、請求項４３から４７のいずれか一項に記載のコンピュータプログラム製品。
【請求項４９】
前記Ｐ＿ｃｍａｘ２を決定する前記プログラムコードが、前記Ｐ＿ｃｍａｘ２の下限及び上限を決定し、前記下限及び前記上限内の値を前記Ｐ＿ｃｍａｘ２の値として使用するプログラムコードを含む、請求項４３から４８のいずれか一項に記載のコンピュータプログラム製品。
【請求項５０】
前記第１のＲＡＴで前記送信を実施する前記プログラムコードが、前記第１のＲＡＴの物理チャネル又は信号を送信するプログラムコードを含み、前記第１のＲＡＴの前記物理チャネル又は信号が、物理アップリンク共有チャネル（ＰＵＳＣＨ）、物理アップリンク制御チャネル（ＰＵＣＣＨ）、サウンディング参照信号（ＳＲＳ）、及び物理ランダムアクセスチャネル（ＰＲＡＣＨ）の１つであり、
前記第２のＲＡＴで前記送信を実施する前記プログラムコードが、前記第２のＲＡＴの物理チャネル又は信号を送信するプログラムコードを含み、前記第２のＲＡＴの前記物理チャネル又は信号が、ＰＵＳＣＨ、ＰＵＣＣＨ、ＰＲＡＣＨ、及びＳＲＳの１つである、請求項４３から４９のいずれか一項に記載のコンピュータプログラム製品。
【請求項５１】
前記第１のＲＡＴがロングタームエボリューション（ＬＴＥ）ＲＡＴであり、前記第２のＲＡＴが新無線（ＮＲ）ＲＡＴである、請求項４３から５０のいずれか一項に記載のコンピュータプログラム製品。
【請求項５２】
前記Ｐ＿ｃｍａｘ１が、
ワイヤレスデバイス能力シグナリングの一部として前記ワイヤレスデバイスが前記ネットワークに対して示す電力クラス値（Ｐ＿ｐｏｗｅｒｃｌａｓｓ）、
前記第１の無線アクセス技術の最大許容電力値（Ｐ＿ＲＡＴ１）、
第１の最大電力低減値（ＭＰＲ１）、及び／又は、
第１のバックオフ値（ＢＯ１）、のうち１つ又は複数に基づいて決定される、請求項４３から５１のいずれか一項に記載のコンピュータプログラム製品。
【請求項５３】
前記Ｐ＿ｃｍａｘ２が、
前記Ｐ＿ｐｏｗｅｒｃｌａｓｓ、
前記第２の無線アクセス技術の最大許容電力値（Ｐ＿ＲＡＴ２）、
第２の最大電力低減値（ＭＰＲ２）、
第２のバックオフ値（ＢＯ２）、
前記Ｐ＿ｃｍａｘ１、
前記ＭＰＲ１、及び／又は、
前記ＢＯ１、のうち１つ又は複数に基づいて決定される、請求項５２に記載のコンピュータプログラム製品。
【請求項５４】
前記Ｐ＿ｃｍａｘ１が、前記ＭＰＲ１及び／又は前記ＢＯ１に少なくとも部分的に基づいて決定され、前記ＭＰＲ１及び／又は前記ＢＯ１が、前記ワイヤレスデバイスが前記第２の無線アクセス技術で送信するようにスケジューリングされているか否かに関わらず、送信がスケジューリングされていない前記第２のＲＡＴに基づいて、前記ワイヤレスデバイスによって決定される、請求項５２又は５３に記載のコンピュータプログラム製品。
【請求項５５】
前記Ｐ＿ｃｍａｘ２が、前記ＭＰＲ２及び／又は前記ＢＯ２に少なくとも部分的に基づいて決定され、前記ＭＰＲ２及び／又は前記ＢＯ２が、前記第１の無線ＲＡＴ及び前記第２のＲＡＴの両方に関してスケジューリングされた送信を考慮することによって、前記ワイヤレスデバイスによって決定される、請求項５３又は５４に記載のコンピュータプログラム製品。
【請求項５６】
前記Ｐ＿ｃｍａｘ２が、
前記ＭＰＲ２及び／又は前記ＢＯ２の少なくとも１つ、並びに、
前記ＭＰＲ１、前記ＢＯ１、及び／又は前記Ｐ＿ｃｍａｘ１の少なくとも１つ、に少なくとも部分的に基づいて決定され、
前記ＭＰＲ２及び／又は前記ＢＯ２が、前記ワイヤレスデバイスが前記第１のＲＡＴで送信するようにスケジューリングされているか否かに関わらず、送信がスケジューリングされていない前記第１のＲＡＴに基づいて、前記ワイヤレスデバイスによって決定される、請求項５３から５５のいずれか一項に記載のコンピュータプログラム製品。
【請求項５７】
前記Ｐ＿ｃｍａｘ２が前記Ｐ＿ＲＡＴ２よりも低く、前記Ｐ＿ｃｍａｘ２が前記Ｐ＿ｃｍａｘ１よりも低い、請求項５３から５６のいずれか一項に記載のコンピュータプログラム製品。
【請求項５８】
前記第１のＲＡＴで実施される前記送信、及び前記第２のＲＡＴで実施される前記送信の電力が両方とも、前記Ｐ＿ｃｍａｘ２に基づいて制限される、請求項３９から５２のいずれか一項に記載のコンピュータプログラム製品。
【請求項５９】
前記ＭＰＲ１がさらに、前記第１のＲＡＴに対応する前記１つ又は複数の送信に割り当てられるリソースブロックの位置に基づく、請求項４４又は４５に記載のコンピュータプログラム製品。
【請求項６０】
前記ＭＰＲ１がさらに、前記第１のＲＡＴのみの送信に割り当てられるリソースブロックの位置に基づく、請求項５９に記載のコンピュータプログラム製品。
【請求項６１】
前記ＭＰＲ２がさらに、前記第２のＲＡＴ及び前記第１のＲＡＴに対応する前記送信に割り当てられるリソースブロックの位置に基づく、請求項４４から４５及び５９から６０のいずれか一項に記載のコンピュータプログラム製品。
【請求項６２】
前記ＭＰＲ２が、前記第２のＲＡＴのみの送信に割り当てられるリソースブロックの数及び／又は位置に基づき、
前記Ｐ＿ｃｍａｘ２が、前記ＭＰＲ２に少なくとも部分的に基づいて決定される、請求項５３から５７のいずれか一項に記載のコンピュータプログラム製品。
【請求項６３】
前記第２のＲＡＴの前記送信が前記Ｐ＿ｃｍａｘ１の決定で使用されない、請求項４３から６２のいずれか一項に記載のコンピュータプログラム製品。
【請求項６４】
ワイヤレスデバイスが第１の無線アクセス技術（ＲＡＴ）の第１の設定最大送信電力値（Ｐ＿ｃｍａｘ１）を決定するとき、前記ワイヤレスデバイスが前記第１のＲＡＴ及び第２のＲＡＴ両方に対してスケジューリングされた送信を考慮するか否かをインジケータが示す、前記インジケータの設定を決定することと、
前記インジケータを前記ワイヤレスデバイスに送出することと、を含む、ネットワークによって実施される方法。
【請求項６５】
前記第１のＲＡＴで送信する前記Ｐ＿ｃｍａｘ１及び前記第２のＲＡＴで送信する第２の設定最大送信電力値（Ｐ＿ｃｍａｘ２）を前記ワイヤレスデバイスが導き出す情報を前記ワイヤレスデバイスに送出することをさらに含む、請求項６４に記載の方法。
【請求項６６】
命令を記憶するように設定されたメモリ（１８０、３９０−１、３９０−２）と、
前記命令を実行するように設定された処理回路（１７０、３６０、５２８）とを備え、ネットワークノードが、
ワイヤレスデバイス（１１０、２００、３３０、４９１、４９２、５３０）が第１の無線アクセス技術（ＲＡＴ）の第１の設定最大送信電力値（Ｐ＿ｃｍａｘ１）を決定するとき、前記ワイヤレスデバイスが前記第１のＲＡＴ及び第２のＲＡＴ両方に対してスケジューリングされた送信を考慮するか否かをインジケータが示す、前記インジケータの設定を決定することと、
前記インジケータを前記ワイヤレスデバイスに送出するように設定される、ネットワークノード（１６０、３３０、４１２、５２０）。
【請求項６７】
前記ネットワークノードがさらに、
前記第１のＲＡＴで送信する前記Ｐ＿ｃｍａｘ１及び前記第２のＲＡＴで送信する第２の設定最大送信電力値（Ｐ＿ｃｍａｘ２）を前記ワイヤレスデバイスが導き出す情報を前記ワイヤレスデバイスに送出するように設定される、請求項６６に記載のネットワークノード。
【請求項６８】
コンピュータ可読プログラムコードを記憶する非一時的コンピュータ可読媒体（１８０、３９０−１、３９０−２）を備え、前記コンピュータ可読プログラムコードが、
ワイヤレスデバイスが第１の無線アクセス技術（ＲＡＴ）の第１の設定最大送信電力値（Ｐ＿ｃｍａｘ１）を決定するとき、前記ワイヤレスデバイスが前記第１のＲＡＴ及び第２のＲＡＴ両方に対してスケジューリングされた送信を考慮するか否かをインジケータが示す、前記インジケータの設定を決定するプログラムコードと、
前記インジケータを前記ワイヤレスデバイスに送出するプログラムコードと、を含む、コンピュータプログラム製品。
【請求項６９】
前記コンピュータ可読プログラムコードがさらに、
前記第１のＲＡＴで送信する前記Ｐ＿ｃｍａｘ１及び前記第２のＲＡＴで送信する第２の設定最大送信電力値（Ｐ＿ｃｍａｘ２）を前記ワイヤレスデバイスが導き出す情報を前記ワイヤレスデバイスに送出するプログラムコードを含む、請求項６８に記載のコンピュータプログラム製品。
【発明の詳細な説明】
【技術分野】
【０００１】
本開示の特定の実施形態は、全体として、ワイヤレス通信に関し、より詳細には、ワイヤレス通信の送信電力の管理に関する。
【背景技術】
【０００２】
一般に、本明細書で使用されるすべての用語は、それが使用されている文脈から異なる意味が明確に与えられる及び／又は暗示されるのでない限り、関連技術分野におけるそれらの通常の意味に従って解釈されるものとする。１つの／その（ａ／ａｎ／ｔｈｅ）要素、装置、構成要素、手段、ステップなどのすべての参照は、特に明記のない限り、要素、装置、構成要素、手段、ステップなどの少なくとも１つの例を参照するものとしてオープンに解釈されるものとする。ステップが別のステップに続く若しくは先行するものとして明示的に記載されていない限り、及び／又はステップが別のステップに続く若しくは先行する必要があるということが黙示的である場合、本明細書で開示されるいずれの方法のステップも、開示されている正確な順番で実行される必要はない。本明細書で開示される実施形態のいずれかの任意の特徴は、適切な場合には、任意の他の実施形態に適用され得る。同様に、いずれかの実施形態の任意の利点は、任意の他の実施形態に適用することができ、逆もまた同様である。含まれる実施形態の他の目的、特徴及び利点が、以下の説明から明らかとなろう。
【０００３】
ワイヤレスデバイス（ユーザ機器（ＵＥ）など）が、物理チャネル（物理アップリンク共有チャネル（ＰＵＳＣＨ）、物理アップリンク制御チャネル（ＰＵＣＣＨ）、若しくは物理ランダムアクセスチャネルなど）、又は信号（サウンディング参照信号（ＳＲＳ）など）を送信するとき、ＵＥがそれらの送信を行う最大電力レベルは、一般に、設定最大送信電力（Ｐｃｍａｘ）値によって制限される。
【０００４】
キャリアアグリゲーションのシナリオにおける複数のコンポーネントキャリア又はサービングセル（例えば、ｃ１、ｃ２、ｃ３）に対応するＵＥ送信の場合、各サービングセルに対応するＵＥ送信は、それぞれのサービングセル当たりの設定最大送信電力値Ｐｃｍａｘ，ｃ（ｃ＝ｃ１、ｃ２、ｃ３）によって制限され、全てのサービングセルにわたる送信の累積電力は、総設定最大出力電力Ｐ＿ｃｍａｘによって制限される。ＵＥによって使用されるＰｃｍａｘ，ｃは、特定の範囲内である必要があり、その上限は一般的に、ＵＥによって宣言された電力クラス（Ｐｐｏｗｅｒｃｌａｓｓ）及び任意の高次レイヤ（例えば、無線リソース制御（ＲＲＣ））設定極限電力（Ｐ＿ｅｍａｘ，ｃ）によって決定され、下限は、Ｐ＿ｐｏｗｅｒｃｌａｓｓ、ｐ−ｅｍａｘ、及びＵＥが適用することができる任意の電力低減の最大値に基づく。
【０００５】
例えば、サービングセルｃに対応するＵＥ送信は、下記に示す以下の範囲内である必要がある、ＰＣＭＡＸ，ｃによって制限される。
ＰＣＭＡＸ＿Ｌ，ｃ≦ＰＣＭＡＸ，ｃ≦ＰＣＭＡＸ＿Ｈ，ｃであって、
ＰＣＭＡＸ＿Ｌ，ｃ＝ＭＩＮ｛ＰＥＭＡＸ，ｃ，ＰＰｏｗｅｒＣｌａｓｓ−ＭＡＸ（Ｘ−ＭＰＲ，ｃ）｝
ＰＣＭＡＸ＿Ｈ，ｃ＝ＭＩＮ｛ＰＥＭＡＸ，ｃ，ＰＰｏｗｅｒＣｌａｓｓ｝
ここで、
・ＰＣＭＡＸ＿Ｈ，ｃはＰＣＭＡＸ，ｃに対する上限であり、
・ＰＣＭＡＸ＿Ｌ，ｃはＰＣＭＡＸ，ｃに対する下限であり、
・ＰＥＭＡＸ，ｃは高次レイヤ（例えば、ＲＲＣ）設定極限電力であり、
・ＰＰｏｗｅｒＣｌａｓｓは、ＵＥ電力クラスであり、仕様に存在する最大ＵＥ電力値であり、
・Ｘ−ＭＰＲ，ｃは、ＵＥが取り得る電力低減の最大値の合計であり、
・上述の値はｄＢ規模である。
【０００６】
ＵＥが複数のコンポーネントキャリア又はサービングセルに対応する送信を有する場合、総設定最大出力電力ＰＣＭＡＸ１は下記の限界内である必要がある。
ＰＣＭＡＸ＿Ｌ≦ＰＣＭＡＸ≦ＰＣＭＡＸ＿Ｈ
ＰＣＭＡＸ＿Ｌ＝ＭＩＮ｛１０ｌｏｇ１０ΣＭＩＮ［ｐＥＭＡＸ，ｃ，ｐＰｏｗｅｒＣｌａｓｓ／（ｘ−ｍｐｒ，ｃ）］，ＰＰｏｗｅｒＣｌａｓｓ｝
ＰＣＭＡＸ＿Ｈ＝ＭＩＮ｛１０ｌｏｇ１０ΣｐＥＭＡＸ，ｃ，ＰＰｏｗｅｒＣｌａｓｓ｝
ここで、
・ｐＥＭＡＸ，ｃはＰＥＭＡＸ，ｃの線形値であり、
・ＰＰｏｗｅｒＣｌａｓｓは、ＵＥ電力クラスであり、仕様に存在する最大ＵＥ電力値であり、
・ｐＰｏｗｅｒＣｌａｓｓはＰＰｏｗｅｒＣｌａｓｓの線形値であり、
・ｘ−ｍｐｒ，ｃは、各サービングセルｃに関する上述したＸ−ＭＰＲ，ｃの線形値であり、
・上述した和（Σ（））は、ＵＥが送信を有する全てのサービングセル（例えば、ｃ１、ｃ２、ｃ３）にわたって適用される。
【０００７】
現在、特定の課題が存在している。場合によっては、ＵＥは、異なる無線アクセス技術（ＲＡＴ）に対応する送信を実施するように求められることがある。例えば、ＵＥは、ロングタームエボリューション（ＬＴＥ）ＲＡＴと関連付けられた第１のサービングセルｃ１、及び新無線（ＮＲ）ＲＡＴと関連付けられた第２のサービングセルｃ２に対応する送信と同時に、又は重なり合って送信する必要があるように、スケジューリングすることができる。かかるシナリオに対するＵＥ実装の複雑さを考慮に入れた、設定最大送信電力値を決定する適切なメカニズムが必要とされる（例えば、ＬＴＥ  ＲＡＴにおけるＵＥ動作は、望ましくない影響をもたらす可能性がある、ＮＲ側の送信パラメータ／セッティングを認識していないことがある）。
【０００８】
本開示の特定の態様及びそれらの実施形態は、これら又は他の課題に対する解決策を提供することができる。
【発明の概要】
【０００９】
一実施形態によれば、方法はワイヤレスデバイスによって実施される。方法は、第１の無線アクセス技術（ＲＡＴ）で送信するための第１の設定最大送信電力値（Ｐ＿ｃｍａｘ１）を決定することを含む。Ｐ＿ｃｍａｘ１は、第１のＲＡＴの１つ又は複数の送信に基づいて決定される。方法はさらに、第２のＲＡＴで送信するための第２の設定最大送信電力値（Ｐ＿ｃｍａｘ２）を決定することを含む。Ｐ＿ｃｍａｘ２は、第１のＲＡＴ及び第２のＲＡＴ両方の送信に基づいて決定される。方法はさらに、Ｐ＿ｃｍａｘ１以下の電力で第１のＲＡＴで送信を実施することを含む。方法はさらに、Ｐ＿ｃｍａｘ２以下の電力で第２のＲＡＴで送信を実施することを含む。
【００１０】
別の実施形態によれば、ワイヤレスデバイスが提供される。ワイヤレスデバイスは、命令を記憶するように設定されたメモリを備える。ワイヤレスデバイスはまた、命令を実行するように設定された処理回路を備える。ワイヤレスデバイスは、第１の無線アクセス技術（ＲＡＴ）で送信するための第１の設定最大送信電力値（Ｐ＿ｃｍａｘ１）を決定するように設定される。Ｐ＿ｃｍａｘ１は、第１のＲＡＴの１つ又は複数の送信に基づいて決定される。ワイヤレスデバイスはさらに、第２のＲＡＴで送信するための第２の設定最大送信電力値（Ｐ＿ｃｍａｘ２）を決定するように設定される。Ｐ＿ｃｍａｘ２は、第１のＲＡＴ及び第２のＲＡＴ両方の送信に基づいて決定される。ワイヤレスデバイスはさらに、Ｐ＿ｃｍａｘ１以下の電力で第１のＲＡＴで送信を実施するように設定される。ワイヤレスデバイスはさらに、Ｐ＿ｃｍａｘ２以下の電力で第２のＲＡＴで送信を実施するように設定される。
【００１１】
さらに別の実施形態によれば、コンピュータプログラム製品は、コンピュータ可読プログラムコードを記憶する非一時的コンピュータ可読媒体を含む。コンピュータ可読プログラムコードは、第１の無線アクセス技術（ＲＡＴ）で送信するための第１の設定最大送信電力値（Ｐ＿ｃｍａｘ１）を決定するプログラムコードを含む。Ｐ＿ｃｍａｘ１は、第１のＲＡＴの１つ又は複数の送信に基づいて決定される。コンピュータ可読プログラムコードはさらに、第２のＲＡＴで送信するための第２の設定最大送信電力値（Ｐ＿ｃｍａｘ２）を決定するプログラムコードを含む。Ｐ＿ｃｍａｘ２は、第１のＲＡＴ及び第２のＲＡＴ両方の送信に基づいて決定される。コンピュータ可読プログラムコードはさらに、Ｐ＿ｃｍａｘ１以下の電力で第１のＲＡＴで送信を実施するプログラムコードを含む。コンピュータ可読プログラムコードはさらに、Ｐ＿ｃｍａｘ２以下の電力で第２のＲＡＴで送信を実施するプログラムコードを含む。特定の実施形態では、方法／ワイヤレスデバイス／コンピュータプログラム製品は、以下に提供する追加の特徴のうち１つ又は複数を提供してもよい。
【００１２】
特定の実施形態では、Ｐ＿ｃｍａｘ１はさらに、少なくとも第１の最大電力低減値（ＭＰＲ１）に基づく。ＭＰＲ１は、第１のＲＡＴの１つ又は複数の送信に割り当てられるリソースブロックの数に基づいて決定される。いくつかの実施形態では、ＭＰＲ１は、第１のＲＡＴのみの送信に割り当てられるリソースブロックの数に基づいて決定される。
【００１３】
特定の実施形態では、Ｐ＿ｃｍａｘ２はさらに、少なくとも第２の最大電力低減値（ＭＰＲ２）に基づく。ＭＰＲ２は、第１のＲＡＴ及び第２のＲＡＴ両方の送信に割り当てられるリソースブロックの数に基づいて決定される。
【００１４】
特定の実施形態では、Ｐ＿ｃｍａｘ２は、第１のＲＡＴにおける現在の送信の送信電力に少なくとも部分的に基づいて決定される。
【００１５】
特定の実施形態では、Ｐ＿ｃｍａｘ１を決定することは、Ｐ＿ｃｍａｘ１の下限及び上限を決定することと、下限及び上限内の値をＰ＿ｃｍａｘ１の値として使用することとを含む。
【００１６】
特定の実施形態では、Ｐ＿ｃｍａｘ２を決定することは、Ｐ＿ｃｍａｘ２の下限及び上限を決定することと、下限及び上限内の値をＰ＿ｃｍａｘ２の値として使用することとを含む。
【００１７】
特定の実施形態では、第１のＲＡＴで送信を実施することは、第１のＲＡＴの物理チャネル又は信号を送信することを含む。第１のＲＡＴの物理チャネル又は信号は、物理アップリンク共有チャネル（ＰＵＳＣＨ）、物理アップリンク制御チャネル（ＰＵＣＣＨ）、サウンディング参照信号（ＳＲＳ）、及び物理ランダムアクセスチャネル（ＰＲＡＣＨ）の１つである。第２のＲＡＴで送信を実施することは、第２のＲＡＴの物理チャネルル又は信号を送信することを含む。第２のＲＡＴの物理チャネル又は信号は、ＰＵＳＣＨ、ＰＵＣＣＨ、ＰＲＡＣＨ、及びＳＲＳの１つである。
【００１８】
特定の実施形態では、第１のＲＡＴはロングタームエボリューション（ＬＴＥ）ＲＡＴであり、第２のＲＡＴは新無線（ＮＲ）ＲＡＴである。
【００１９】
特定の実施形態では、Ｐ＿ｃｍａｘ１は、 ワイヤレスデバイスがネットワークに対してワイヤレスデバイス能力シグナリングの一部として示す電力クラス値（Ｐ＿ｐｏｗｅｒｃｌａｓｓ）、第１の無線アクセス技術に対する最大許容電力値（Ｐ＿ＲＡＴ１）、第１の最大電力低減値（ＭＰＲ１）、及び／又は第１のバックオフ値（ＢＯ１）のうち１つ又は複数に基づいて決定される。
【００２０】
特定の実施形態では、Ｐ＿ｃｍａｘ２は、Ｐ＿ｐｏｗｅｒｃｌａｓｓ、第２の無線アクセス技術に対する最大許容電力値（Ｐ＿ＲＡＴ２）、第２の最大電力低減値（ＭＰＲ２）、第２のバックオフ値（ＢＯ２）、Ｐ＿ｃｍａｘ１、ＭＰＲ１、及び／又はＢＯ１のうち１つ又は複数に基づいて決定される。
【００２１】
特定の実施形態では、Ｐ＿ｃｍａｘ１は、ＭＰＲ１及び／又はＢＯ１に少なくとも部分的に基づいて決定される。ＭＰＲ１及び／又はＢＯ１は、ワイヤレスデバイスがＲＡＴで送信するようにスケジューリングされているか否かに関わらず、送信がスケジューリングされていない第２のＲＡＴに基づいて、ワイヤレスデバイスによって決定される。
【００２２】
特定の実施形態では、Ｐ＿ｃｍａｘ２は、ＭＰＲ２及び／又はＢＯ２に少なくとも部分的に基づいて決定される。ＭＰＲ２及び／又はＢＯ２は、第１のＲＡＴ及び第２のＲＡＴ両方に対してスケジューリングされた送信を考慮することによって、ワイヤレスデバイスによって決定される。
【００２３】
特定の実施形態では、Ｐ＿ｃｍａｘ２は、ＭＰＲ２及び／又はＢＯ２の少なくとも１つ、並びにＭＰＲ１、ＢＯ１、及び／又はＰ＿ｃｍａｘ１の少なくとも１つに、少なくとも部分的に基づいて決定される。ＭＰＲ２及び／又はＢＯ２は、ワイヤレスデバイスが第１のＲＡＴで送信するようにスケジューリングされているか否かに関わらず、送信がスケジューリングされていない第１のＲＡＴに基づいて、ワイヤレスデバイスによって決定される。
【００２４】
特定の実施形態では、Ｐ＿ｃｍａｘ２はＰ＿ＲＡＴ２よりも低く、Ｐ＿ｃｍａｘ２はＰ＿ｃｍａｘ１よりも低い。
【００２５】
特定の実施形態では、第１の無線アクセス技術で実施される送信及び第２のＲＡＴで実施される送信の電力は両方とも、Ｐ＿ｃｍａｘ２に基づいて制限される。
【００２６】
特定の実施形態では、ＭＰＲ１はさらに、第１のＲＡＴの１つ又は複数の送信に割り当てられるリソースブロックの位置に基づく。いくつかの実施形態では、ＭＰＲ１はさらに、第１のＲＡＴのみの送信に割り当てられるリソースブロックの位置に基づく。
【００２７】
特定の実施形態では、ＭＰＲ２はさらに、第２のＲＡＴ及び第１のＲＡＴの送信に割り当てられるリソースブロックの位置に基づく。
【００２８】
特定の実施形態では、ＭＰＲ２は、第２のＲＡＴの送信に割り当てられるリソースブロックの数及び／又は位置に基づく。Ｐ＿ｃｍａｘ２は、ＭＰＲ２に少なくとも部分的に基づいて決定される。
【００２９】
特定の実施形態では、第２のＲＡＴの送信は、Ｐ＿ｃｍａｘ１の決定には使用されない。例えば、Ｐ＿ｃｍａｘ１は、第１のＲＡＴのみの送信に基づいて決定される。
【００３０】
一実施形態によれば、方法はネットワークノードによって実施される。方法は、インジケータに関する設定を決定することを含む。インジケータは、ワイヤレスデバイスが第１の無線アクセス技術（ＲＡＴ）の第１の設定最大送信電力値（Ｐ＿ｃｍａｘ１）を決定するとき、ワイヤレスデバイスが第１のＲＡＴ及び第２のＲＡＴ両方に対してスケジューリングされた送信を考慮するか否かを示す。方法はさらに、インジケータをワイヤレスデバイスに送出することを含む。
【００３１】
別の実施形態によれば、ネットワークノードが提供される。ネットワークノードは、命令を記憶するように設定されたメモリを備える。ネットワークノードはさらに、命令を実行するように設定された処理回路を備える。ネットワークノードは、インジケータに関する設定を決定するように設定される。インジケータは、ワイヤレスデバイスが第１の無線アクセス技術（ＲＡＴ）の第１の設定最大送信電力値（Ｐ＿ｃｍａｘ１）を決定するとき、ワイヤレスデバイスが第１のＲＡＴ及び第２のＲＡＴ両方に対してスケジューリングされた送信を考慮するか否かを示す。ネットワークノードはさらに、インジケータをワイヤレスデバイスに送出するように設定される。
【００３２】
さらに別の実施形態によれば、コンピュータプログラム製品は、コンピュータ可読プログラムコードを記憶する非一時的コンピュータ可読媒体を含む。コンピュータ可読プログラムコードは、インジケータに関する設定を決定するプログラムコードを含む。インジケータは、ワイヤレスデバイスが第１の無線アクセス技術（ＲＡＴ）の第１の設定最大送信電力値（Ｐ＿ｃｍａｘ１）を決定するとき、ワイヤレスデバイスが第１のＲＡＴ及び第２のＲＡＴ両方に対してスケジューリングされた送信を考慮するか否かを示す。コンピュータ可読プログラムコードはさらに、インジケータをワイヤレスデバイスに送出するプログラムコードを含む。
【００３３】
特定の実施形態では、方法／ネットワークノード／コンピュータプログラム製品はさらに、第１のＲＡＴで送信するためのＰ＿ｃｍａｘ１及び第２のＲＡＴで送信するための第２の設定最大送信電力値（Ｐ＿ｃｍａｘ２）をワイヤレスデバイスが導き出す情報をワイヤレスデバイスに送出することを含む。
【００３４】
本開示の特定の実施形態は、１つ又は複数の技術的利点を提供することができる。例えば、特定の実施形態によって、ＬＴＥ−ＮＲデュアルコネクティビティ（ＤＣ）動作に対する設定最大送信電力値を決定することが可能になる。例えば、特定の実施形態によって、ＬＴＥ送信に適用可能な第１の設定最大送信電力値、及びＬＴＥ及びＮＲ両方の送信に適用可能な第２の設定最大送信電力値を決定することが可能になる。送信は、第１及び第２の設定最大送信電力値を使用して設定されてもよい。別の一例として、特定の実施形態によって、ＮＲ側の送信又はハードウェア／ソフトウェアセッティングを考慮することなく、ＬＴＥ側のＵＥハードウェア／ソフトウェアが独立して動作できる、より単純なＵＥ実装が可能になる。さらに別の例として、特定の実施形態によって、ＮＲ側のＵＥハードウェア／ソフトウェアがＬＴＥ側の送信又はハードウェア／ソフトウェアセッティングを考慮することが可能になり、それが特定のシナリオにおいて干渉を低減する助けとなり得る。
【００３５】
特定の実施形態は、上記に列挙した利点を１つも有さないか、そのいくつか、又は全てを有してもよい。他の利点は当業者には容易に明白となり得る。
【００３６】
開示される実施形態並びにそれらの特徴及び利点をさらに完全に理解するため、以下、添付図面と併せて以下の説明を参照する。
【図面の簡単な説明】
【００３７】
【図１】特定の実施形態による一例のワイヤレスネットワークを示す図である。
【図２】特定の実施形態による一例のユーザ機器を示す図である。
【図３】特定の実施形態による一例の仮想化環境を示す図である。
【図４】特定の実施形態による、ホストコンピュータに中間ネットワークを介して接続された一例の電気通信ネットワークを示す図である。
【図５】特定の実施形態による、部分的にワイヤレスな接続を介してユーザ機器と基地局を介して通信する一例のホストコンピュータを示す図である。
【図６】特定の実施形態による、通信システムにおいて実装される一例の方法を示すフローチャートである。
【図７】特定の実施形態による、通信システムにおいて実装される第２の一例の方法を示すフローチャートである。
【図８】特定の実施形態による、通信システムにおいて実装される第３の方法を示すフローチャートである。
【図９】特定の実施形態による、通信システムにおいて実装される第４の方法を示すフローチャートである。
【図１０】特定の実施形態による、ワイヤレスデバイスによって実施される一例の方法を示す図である。
【図１１】特定の実施形態による、ワイヤレスネットワークにおける第１の一例の装置を示す概略的ブロック図である。
【図１２】特定の実施形態による、ワイヤレスデバイスによって実施される第２の一例の方法を示す図である。
【発明を実施するための形態】
【００３８】
ここで、本明細書で意図された実施形態のうちのいくつかを、添付の図面を参照して、より完全に説明する。しかしながら、他の実施形態が、本明細書で開示される主題の範囲内に含まれ、開示される主題は、本明細書に記載の実施形態のみに限定されるものとして解釈されるべきではなく、これらの実施形態は、当業者に本主題の範囲を伝えるための例として提供される。
【００３９】
本明細書の教示は、ＬＴＥ−ＮＲデュアルコネクティビティ（ＤＣ）動作の設定最大送信電力値を決定するメカニズムを提供する。特定の実施形態では、ＵＥは、ＬＴＥ送信に適用可能な第１の設定最大送信電力値（Ｐ＿ｃｍａｘ１）、及びＬＴＥ及びＮＲ両方の送信に適用可能な第２の設定最大送信電力値を決定する。特定の実施形態によれば、ＬＴＥ−ＮＲ  ＤＣが設定されたＵＥは、ＬＴＥ送信のみを考慮することによって、ＬＴＥ送信に適用可能な第１の設定最大送信電力値（Ｐ＿ｃｍａｘ１）を、またＬＴＥ及びＮＲ両方の送信を考慮することによって、第２の設定最大送信電力値（Ｐ＿ｃｍａｘ２）を決定する。ＵＥは、送信電力がＰ＿ｃｍａｘ１よりも低いようにして、ＬＴＥ  ＲＡＴに対応する物理チャネル又は信号（例えば、ＰＵＳＣＨ／ＰＵＣＣＨ／ＳＲＳ）を送信する。ＵＥは、送信電力がＰ＿ｃｍａｘ２よりも低いようにして、ＮＲ  ＲＡＴに対応する物理チャネル又は信号（例えば、ＰＵＳＣＨ／ＰＵＣＣＨ／ＳＲＳ）を送信する。
【００４０】
特定の実施形態では、ワイヤレスデバイス（例えば、ＵＥ）は、第１のＲＡＴに対応する物理チャネル／信号を送信する。ワイヤレスデバイスはまた、第２のＲＡＴに対応する物理チャネル／信号を送信する。第１のＲＡＴに対してワイヤレスデバイスによって送信される物理チャネル／信号の送信電力は、第１の設定最大送信電力値（Ｐ＿ｃｍａｘ１）によって制限される。少なくとも第２のＲＡＴに対してワイヤレスデバイスによって送信される物理チャネル／信号の送信電力は、第２の設定最大送信電力値（Ｐ＿ｃｍａｘ２）によって制限される。
【００４１】
特定の実施形態では、ワイヤレスデバイスは、少なくとも以下を使用してＰ＿ｃｍａｘ１を決定してもよい。
・ワイヤレスデバイス能力シグナリングの一部としてワイヤレスデバイスがネットワークに対して示す電力クラス値（Ｐ＿ｐｏｗｅｒｃｌａｓｓ）
・第１のＲＡＴの最大許容電力値（Ｐ＿ＲＡＴ１）
・次のうち少なくとも１つ
〇第１の最大電力低減値（ＭＰＲ１）
〇第１のバックオフ値（ＢＯ１）
【００４２】
特定の実施形態では、ワイヤレスデバイスは、少なくとも以下を使用してＰ＿ｃｍａｘ２を決定してもよい。
・Ｐ＿ｐｏｗｅｒｃｌａｓｓ
・第２のＲＡＴの最大許容電力値（Ｐ＿ＲＡＴ２）
・次のうち少なくとも１つ
〇第２の最大電力低減値（ＭＰＲ２）
〇第２のバックオフ値（ＢＯ２）
〇Ｐ＿ｃｍａｘ１
〇ＭＰＲ１
〇ＢＯ１
【００４３】
いくつかの実施形態では、ＭＰＲ１及び／又はＢＯ１は、ワイヤレスデバイスが第２のＲＡＴで送信するようにスケジューリングされているか否かに関わらず、第２のＲＡＴで送信が行われないかのように、ワイヤレスデバイスによって決定されてもよい。例えば、ワイヤレスデバイスが第１の持続時間（例えば、サブフレーム／スロットｘ）において第１のＲＡＴで送信するようにスケジューリングされた場合、ワイヤレスデバイスは、ワイヤレスデバイスが第１の持続時間に重なる持続時間において第２のＲＡＴで送信するようにスケジューリングされたとしても、第２のＲＡＴで送信が行われないかのように、ＭＰＲ１及び／又はＢＯ１を決定してもよい。
【００４４】
特定の実施形態では、Ｐ＿ｃｍａｘ２、ＭＰＲ２、及び／又はＢＯ２は、第１のＲＡＴ及び第２のＲＡＴ両方に対してスケジューリングされた送信を考慮することによって、ワイヤレスデバイスによって決定されてもよい。
【００４５】
いくつかの実施形態では、ＭＰＲ２及び／又はＢ０２は、ワイヤレスデバイスが第１のＲＡＴで送信するようにスケジューリングされているか否かに関わらず、第１のＲＡＴでの送信がないと仮定して、ワイヤレスデバイスによって決定されてもよい。ワイヤレスデバイスは依然として、Ｐ＿ｃｍａｘ２を決定するのに、ＭＰＲ１、ＢＯ１、Ｐ＿ｃｍａｘ１のうち１つを使用してもよい。
【００４６】
いくつかの実施形態では、ワイヤレスデバイスは、Ｐ＿ｃｍａｘ２を決定するのに、第１のＲＡＴで進行中の送信の送信電力を使用してもよい。
【００４７】
いくつかの実施形態では、ワイヤレスデバイスは、ｍｉｎ（Ｐ＿ＲＡＴ２，Ｐ＿ｃｍａｘ１）よりも低いように、Ｐ＿ｃｍａｘ２を決定することができる。ｍｉｎ（）はそれぞれの値の最小値を与える。
【００４８】
特定の実施形態では、第１のＲＡＴはＬＴＥであってもよく、第２のＲＡＴはＮＲであってもよい。
【００４９】
特定の実施形態では、Ｐ＿ｃｍａｘ１を決定することは、Ｐ＿ｃｍａｘ１の下限及び／又は上限を決定することと、これらの限界内のＰ＿ｃｍａｘ１の値を使用することとを含むことができる。
【００５０】
特定の実施形態では、Ｐ＿ｃｍａｘ２を決定することは、Ｐ＿ｃｍａｘ２の下限及び／又は上限を決定することと、これらの限界内のＰ＿ｃｍａｘ２の値を使用することとを含むことができる。
【００５１】
いくつかの実施形態では、第１のＲＡＴ及び第２のＲＡＴ両方に関してワイヤレスデバイスによって送信される物理チャネル／信号の送信電力は、第２の設定最大送信電力値（Ｐ＿ｃｍａｘ２）によって制限することができる。
【００５２】
特定の実施形態では、ワイヤレスデバイスによって送信される物理チャネル／信号は、物理アップリンク共有チャネル（ＰＵＳＣＨ）、物理アップリンク制御チャネル（ＰＵＣＣＨ）、サウンディング参照信号（ＳＲＳ）、及び物理ランダムアクセスチャネル（ＰＲＡＣＨ）のうち１つ又は複数であることができる。
【００５３】
特定の実施形態では、ＭＰＲ１は、ＬＴＥ  ＲＡＴに対応する送信に割り当てられるリソースブロックの数及び／又は位置に基づくことができる。
【００５４】
特定の実施形態では、ＭＰＲ２は、ＮＲ  ＲＡＴ及びＬＴＥ  ＲＡＴに対応する送信に割り当てられるリソースブロックの数及び／又は位置に基づくことができる。特定の実施形態では、ＭＰＲ２は、ＮＲ  ＲＡＴのみに対応する送信に割り当てられるリソースブロックの数及び／又は位置に基づくことができる。
【００５５】
したがって、ワイヤレスデバイスは、複数の無線アクセス技術（ＮＲ  ＲＡＴ及びＬＴＥ  ＲＡＴを用いるデュアルコネクティビティにおけるものなど）にわたる送信のための設定最大送信電力値を柔軟に決定してもよい。
【００５６】
本明細書に記載の主題は、任意の適切な構成要素を使用する任意の適切なタイプのシステムにおいて実装され得るが、本明細書で開示される実施形態は、図１に示された例示的ワイヤレスネットワークなど、ワイヤレスネットワークに関連して説明される。簡単にするために、図１のワイヤレスネットワークは、ネットワーク１０６、ネットワークノード１６０及び１６０ｂ、並びにＷＤ１１０、１１０ｂ、及び１１０ｃのみを示す。実際には、ワイヤレスネットワークは、ワイヤレスデバイス間の通信或いはワイヤレスデバイスと固定電話、サービスプロバイダ、又は任意の他のネットワークノード若しくはエンドデバイスなどの別の通信デバイスとの間の通信をサポートするのに適した任意の付加的要素をさらに含み得る。図示された構成要素について、ネットワークノード１６０及びワイヤレスデバイス（ＷＤ）１１０は、さらに詳しく描かれている。ワイヤレスネットワークは、ワイヤレスネットワークによって又はこれを介して提供されるサービスへのワイヤレスデバイスのアクセス及び／又はそのようなサービスのワイヤレスデバイスの使用を円滑にするために、通信及び他のタイプのサービスを１つ又は複数のワイヤレスデバイスに提供し得る。
【００５７】
ワイヤレスネットワークは、任意のタイプの通信、電気通信、データ、セルラ、及び／又は無線ネットワーク又は他の類似のタイプのシステムを備える、及び／又はそれらとインターフェースすることができる。一部の実施形態では、ワイヤレスネットワークは、特定の標準又は他のタイプの予め規定されたルール又は手続きに従って動作するように設定され得る。したがって、ワイヤレスネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）及び／又は他の適切な２Ｇ、３Ｇ、４Ｇ、又は５Ｇ標準などの通信標準、ＩＥＥＥ８０２．１１標準などのワイヤレスローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切なワイヤレス通信標準を実装し得る。
【００５８】
ネットワーク１０６は、１つ又は複数のバックホールネットワーク、コアネットワーク、ＩＰネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、ワイヤレスローカルエリアネットワーク（ＷＬＡＮ）、ワイヤードネットワーク、ワイヤレスネットワーク、メトロポリタンエリアネットワーク、及び、デバイス間の通信を可能にするための他のネットワークを備え得る。
【００５９】
ネットワークノード１６０及びＷＤ１１０は、さらに詳しく後述される様々な構成要素を備える。これらの構成要素は、ワイヤレスネットワークにおいてワイヤレス接続を提供することなど、ネットワークノード及び／又はワイヤレスデバイス機能性を提供するために連携する。異なる実施形態において、ワイヤレスネットワークは、任意の数のワイヤード又はワイヤレスネットワーク、ネットワークノード、基地局、コントローラ、ワイヤレスデバイス、リレー局、並びに／或いは、ワイヤード接続又はワイヤレス接続のいずれを介してでもデータ及び／又は信号の通信を円滑にする又はこれに参加する任意の他の構成要素又はシステムを備え得る。
【００６０】
本明細書では、ネットワークノードは、ワイヤレスデバイスへのワイヤレスアクセスを可能にする及び／又は提供するためにワイヤレスデバイスと及び／又はワイヤレスネットワーク内の他のネットワークノード又は機器と直接的又は間接的に通信する並びに／或いはワイヤレスネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、発展型ノードＢ（ｅＮＢ）及びＮＲ  ＮｏｄｅＢ（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、ＭＳＣ、ＭＭＥ）、Ｏ＆Ｍノード、ＯＳＳノード、ＳＯＮノード、ポジショニングノード（たとえば、Ｅ−ＳＭＬＣ）、及び／又はＭＤＴを含む。別の例として、ネットワークノードは、さらに詳しく後述するような仮想ネットワークノードでもよい。しかしながら、より一般的には、ネットワークノードは、ワイヤレスネットワークへのアクセスをワイヤレスデバイスに可能にする及び／又は提供するための或いはワイヤレスネットワークにアクセスしたワイヤレスデバイスに何らかのサービスを提供するための能力を有する、そのように設定された、配置された、及び／又は動作可能な任意の適切なデバイス（又はデバイスのグループ）を表し得る。
【００６１】
図１において、ネットワークノード１６０は、処理回路１７０、デバイス可読媒体１８０、インターフェース１９０、補助機器１８４、電源１８６、電力回路１８７、及びアンテナ１６２を含む。図１の例示的ワイヤレスネットワークに示されたネットワークノード１６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード１６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体１８０は、複数の別個のハードドライブ並びに複数のＲＡＭモジュールを備え得る）。
【００６２】
同様に、ネットワークノード１６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード１６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。一部の実施形態では、ネットワークノード１６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体１８０）、いくつかの構成要素は再使用され得る（たとえば、同じアンテナ１６２がＲＡＴによって共用され得る）。ネットワークノード１６０はまた、たとえば、ＧＳＭ、ＷＣＤＭＡ、ＬＴＥ、ＮＲ、ＷｉＦｉ、又はブルートゥースワイヤレス技術など、ネットワークノード１６０に統合された異なるワイヤレス技術のための様々な図示された構成要素の複数のセットを含み得る。これらのワイヤレス技術は、ネットワークノード１６０内の同じ又は異なるチップ又はチップのセット及び他の構成要素内に統合され得る。
【００６３】
処理回路１７０は、ネットワークノードによって提供されているものとして本明細書に記載された任意の判定、計算又は類似の動作（たとえば、ある種の取得動作）を実行するように設定される。処理回路１７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路１７０によって取得された情報を処理すること、並びに前記処理の結果として判定を行うことを含み得る。
【００６４】
処理回路１７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、リソース、或いは、単独で又はデバイス可読媒体１８０などの他のネットワークノード１６０構成要素と併せて、ネットワークノード１６０機能を提供するように動作可能なハードウェア、ソフトウェア及び／又は符号化されたロジックの組合せを備え得る。たとえば、処理回路１７０は、デバイス可読媒体１８０に又は処理回路１７０内のメモリに記憶された命令を実行し得る。そのような機能性は、本明細書で論じられる様々なワイヤレス特徴、機能、又は利益のいずれかの提供を含み得る。一部の実施形態では、処理回路１７０は、システムオンチップ（ＳＯＣ）を含み得る。
【００６５】
一部の実施形態では、処理回路１７０は、無線周波数（ＲＦ）トランシーバ回路１７２及びベースバンド処理回路１７４のうちの１つ又は複数を含み得る。一部の実施形態では、無線周波数（ＲＦ）トランシーバ回路１７２及びベースバンド処理回路１７４は、別個のチップ（又はチップのセット）、ボード、又は、無線ユニット及びデジタルユニットなどのユニット上でもよい。代替実施形態において、ＲＦトランシーバ回路１７２及びベースバンド処理回路１７４の一部又はすべては、同じチップ又はチップのセット、ボード、又はユニット上でもよい。
【００６６】
ある種の実施形態では、ネットワークノード、基地局、ｅＮＢ又は他のそのようなネットワークデバイスによって提供されているものとしての本明細書に記載の機能性の一部又はすべては、デバイス可読媒体１８０又は処理回路１７０内のメモリに記憶された命令を実行する処理回路１７０によって実行され得る。代替実施形態において、機能性のうちの一部又はすべては、ハードワイヤード方式などで、別個の又はディスクリートデバイスの可読媒体に記憶された命令を実行することなしに処理回路１７０によって提供され得る。それらの実施形態のいずれにおいてでも、デバイス可読記憶媒体に記憶された命令を実行してもしなくても、処理回路１７０は、記載された機能を実行するように設定することができる。そのような機能によってもたらされる利益は、単独で処理回路１７０に又はネットワークノード１６０の他の構成要素に制限されないが、ネットワークノード１６０全体によって、並びに／或いは一般にエンドユーザ及びワイヤレスネットワークによって享受される。
【００６７】
デバイス可読媒体１８０は、処理回路１７０によって使用され得る情報、データ、及び／又は命令を記憶する永続記憶装置、ソリッドステートメモリ、リモートに搭載されたメモリ、磁気媒体、光媒体、ランダムアクセスメモリ（ＲＡＭ）、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体１８０は、コンピュータプログラム、ソフトウェア、ロジック、ルール、コード、テーブルなどのうちの１つ又は複数を含むアプリケーション、及び／又は処理回路１７０によって実行することができる及びネットワークノード１６０によって使用することができる他の命令を含む、任意の適切な命令、データ又は情報を記憶し得る。デバイス可読媒体１８０は、処理回路１７０によって行われる任意の計算及び／又はインターフェース１９０を介して受信される任意のデータを記憶するために使用され得る。一部の実施形態では、処理回路１７０及びデバイス可読媒体１８０は、統合されると考えられ得る。
【００６８】
インターフェース１９０は、ネットワークノード１６０、ネットワーク１０６、及び／又はＷＤ１１０の間のシグナリング及び／又はデータのワイヤード又はワイヤレス通信において使用される。図示されているように、インターフェース１９０は、たとえば、ワイヤード接続を介してネットワーク１０６に及びネットワーク１０６から、データを送信及び受信するために、ポート／端末１９４を備える。インターフェース１９０はまた、アンテナ１６２に連結され得る又はある種の実施形態においてアンテナ１６２の一部であることがある、無線フロントエンド回路１９２を含む。無線フロントエンド回路１９２は、フィルタ１９８及び増幅器１９６を備える。無線フロントエンド回路１９２は、アンテナ１６２及び処理回路１７０に接続され得る。無線フロントエンド回路は、アンテナ１６２と処理回路１７０との間で通信される信号を調整するように設定され得る。無線フロントエンド回路１９２は、ワイヤレス接続を介して他のネットワークノード又はＷＤに送出されることになるデジタルデータを受信し得る。無線フロントエンド回路１９２は、フィルタ１９８及び／又は増幅器１９６の組合せを使用する適切なチャネル及び帯域幅パラメータを有する無線信号にデジタルデータを変換し得る。無線信号は、次いで、アンテナ１６２を介して送信され得る。同様に、データを受信するとき、アンテナ１６２は、次いで無線フロントエンド回路１９２によってデジタルデータに変換される無線信号を収集し得る。デジタルデータは、処理回路１７０に渡され得る。他の実施形態において、インターフェースは、異なる構成要素及び／又は異なる組合せの構成要素を備え得る。
【００６９】
ある種の代替実施形態において、ネットワークノード１６０は、別個の無線フロントエンド回路１９２を含まないことがあり、代わりに、処理回路１７０が、無線フロントエンド回路を備え得、別個の無線フロントエンド回路１９２なしにアンテナ１６２に接続され得る。同様に、一部の実施形態では、すべての又は一部のＲＦトランシーバ回路１７２は、インターフェース１９０の一部と考えられ得る。さらに他の実施形態において、インターフェース１９０は、１つ又は複数のポート又は端末１９４、無線フロントエンド回路１９２、並びにＲＦトランシーバ回路１７２、無線ユニット（図示せず）の一部としての、を含み得、そして、インターフェース１９０は、デジタルユニット（図示せず）の一部であるベースバンド処理回路１７４と通信し得る。
【００７０】
アンテナ１６２は、ワイヤレス信号を送信及び／又は受信するように設定された、１つ又は複数のアンテナ、又はアンテナアレイを含み得る。アンテナ１６２は、無線フロントエンド回路１９０に結合され得、ワイヤレスにデータ及び／又は信号を送信及び受信する能力を有する任意のタイプのアンテナでもよい。一部の実施形態では、アンテナ１６２は、たとえば、２ＧＨｚと６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、そして、パネルアンテナは、相対的に直線で無線信号を送信／受信するために使用されるサイトアンテナのラインでもよい。場合によっては、複数のアンテナの使用は、ＭＩＭＯと称され得る。ある種の実施形態では、アンテナ１６２は、ネットワークノード１６０とは別個でもよく、インターフェース又はポートを介してネットワークノード１６０に接続可能になり得る。
【００７１】
アンテナ１６２、インターフェース１９０、及び／又は処理回路１７０は、ネットワークノードによって実行されるものとして本明細書に記載された任意の受信動作及び／又はある種の取得動作を実行するように設定され得る。任意の情報、データ及び／又は信号が、ワイヤレスデバイス、別のネットワークノード及び／又は任意の他のネットワーク機器から受信され得る。同様に、アンテナ１６２、インターフェース１９０、及び／又は処理回路１７０は、ネットワークノードによって実行されるものとして本明細書に記載された任意の送信動作を実行するように設定され得る。任意の情報、データ及び／又は信号が、ワイヤレスデバイス、別のネットワークノード及び／又は任意の他のネットワーク機器に送信され得る。
【００７２】
電力回路１８７は、電力管理回路を備え得る、又はこれに連結され得、本明細書に記載の機能性を実行するための電力をネットワークノード１６０の構成要素に供給するように設定される。電力回路１８７は、電源１８６から電力を受信し得る。電源１８６及び／又は電力回路１８７は、それぞれの構成要素に適した形でネットワークノード１６０の様々な構成要素に電力を提供する（たとえば、それぞれの構成要素のために必要とされる電圧及び電流レベルで）ように設定され得る。電源１８６は、電力回路１８７及び／又はネットワークノード１６０に含まれても、これらの外部でもよい。たとえば、ネットワークノード１６０は、電気ケーブルなどの入力回路又はインターフェースを介して外部電源（たとえば、電気コンセント）に接続可能になり得、それにより、外部電源が電力回路１８７に電力を供給する。さらなる例として、電源１８６は、電力回路１８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【００７３】
ネットワークノード１６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図１に示されたものを超える追加の構成要素を含み得る。たとえば、ネットワークノード１６０は、ネットワークノード１６０への情報の入力を可能にするために、及びネットワークノード１６０からの情報の出力を可能にするために、ユーザインターフェース機器を含み得る。これは、ネットワークノード１６０のための診断、メンテナンス、修理、及び他の管理機能をユーザが実行することを可能にし得る。
【００７４】
本明細書では、ワイヤレスデバイス（ＷＤ）は、ネットワークノード及び／又は他のワイヤレスデバイスとワイヤレスに通信する能力を有する、そのように設定された、配置された及び／又は動作可能なデバイスを指す。特に断りのない限り、ＷＤという用語は、ユーザ機器（ＵＥ）と同義で本明細書において使用され得る。ワイヤレスに通信することは、電磁波、無線波、赤外線波、及び／又は電波を介して情報を伝えるのに適した他のタイプの信号を使用してワイヤレス信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。ＷＤの例は、スマートフォン、携帯電話、セルフォン、ボイスオーバーＩＰ（ＶｏＩＰ）フォン、ワイヤレスローカルループフォン、デスクトップコンピュータ、携帯情報端末（ＰＤＡ）、ワイヤレスカメラ、ゲーム機又はデバイス、音楽記憶デバイス、再生装置、ウェアラブル端末デバイス、ワイヤレスエンドポイント、モバイル局、タブレット、ラップトップ、ラップトップ埋め込み機器（ＬＥＥ）、ラップトップ搭載機器（ＬＭＥ）、スマートデバイス、ワイヤレス顧客構内機器（ＣＰＥ）。車両搭載ワイヤレス端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの特定の例として、ＷＤは、３ＧＰＰ  ＮＢ−ＩｏＴ（ｎａｒｒｏｗ  ｂａｎｄ  ｉｎｔｅｒｎｅｔ  ｏｆ  ｔｈｉｎｇｓ）標準を実装するＵＥでもよい。そのようなマシン又はデバイスの具体的な例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。他のシナリオにおいて、ＷＤは、その動作状況の監視及び／又は報告或いはその動作に関連する他の機能の能力を有する車両又は他の機器を表し得る。前述のようなＷＤは、ワイヤレス接続のエンドポイントを表し得、その場合、デバイスはワイヤレス端末と称され得る。さらに、前述のようなＷＤは、モバイルでもよく、その場合、それはモバイルデバイス又はモバイル端末���も称され得る。
【００７５】
図示されているように、ワイヤレスデバイス１１０は、アンテナ１１１、インターフェース１１４、処理回路１２０、デバイス可読媒体１３０、ユーザインターフェース機器１３２、補助機器１３４、電源１３６及び電力回路１３７を含む。ＷＤ１１０は、たとえば、少し例を挙げると、ＧＳＭ、ＷＣＤＭＡ、ＬＴＥ、ＮＲ、ＷｉＦｉ、ＷｉＭＡＸ、又はブルートゥースワイヤレス技術など、ＷＤ１１０によってサポートされる異なるワイヤレス技術のための、図示された構成要素のうちの１つ又は複数の構成要素の複数のセットを含み得る。これらのワイヤレス技術は、ＷＤ１１０内の他の構成要素と同じ又は異なるチップ又はチップのセットに統合され得る。
【００７６】
アンテナ１１１は、ワイヤレス信号を送信及び／又は受信するように設定された１つ又は複数のアンテナ又はアンテナアレイを含み得、インターフェース１１４に接続される。ある種の代替実施形態において、アンテナ１１１は、ＷＤ１１０とは別個でもよく、インターフェース又はポートを介してＷＤ１１０に接続可能になり得る。アンテナ１１１、インターフェース１１４、及び／又は処理回路１２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ１１１は、インターフェースと考えられ得る。
【００７７】
図示されているように、インターフェース１１４は、無線フロントエンド回路１１２及びアンテナ１１１を備える。無線フロントエンド回路１１２は、１つ又は複数のフィルタ１１８及び増幅器１１６を備える。無線フロントエンド回路１１４は、アンテナ１１１及び処理回路１２０に接続され、アンテナ１１１と処理回路１２０との間で通信される信号を調整するように設定される。無線フロントエンド回路１１２は、アンテナ１１１に連結され得る、又はアンテナ１１１の一部でもよい。一部の実施形態では、ＷＤ１１０は、別個の無線フロントエンド回路１１２を含まないことがあり、そうではなくて、処理回路１２０は、無線フロントエンド回路を備え得、アンテナ１１１に接続され得る。同様に、一部の実施形態では、ＲＦトランシーバ回路１２２の一部又はすべては、インターフェース１１４の一部と考えられ得る。無線フロントエンド回路１１２は、ワイヤレス接続を介して他のネットワークノード又はＷＤに送出されることになるデジタルデータを受信し得る。無線フロントエンド回路１１２は、フィルタ１１８及び／又は増幅器１１６の組合せを使用して適切なチャネル及び帯域幅パラメータを有する無線信号にデジタルデータを変換し得る。無線信号は、次いで、アンテナ１１１を介して送信され得る。同様に、データを受信しているとき、アンテナ１１１は、次いで無線フロントエンド回路１１２によってデジタルデータに変換される、無線信号を収集し得る。デジタルデータは、処理回路１２０に渡され得る。他の実施形態において、インターフェースは、異なる構成要素及び／又は異なる組合せの構成要素を備え得る。
【００７８】
処理回路１２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、リソース、或いは、単独で又はデバイス可読媒体１３０などの他のＷＤ１１０構成要素と連動して、ＷＤ１１０機能性を提供するように動作可能なハードウェア、ソフトウェア、及び／又は符号化されたロジックの組合せを備え得る。そのような機能性は、本明細書で論じられる様々なワイヤレス特徴又は利益のいずれかの提供を含み得る。たとえば、処理回路１２０は、本明細書で開示される機能性を提供するために、デバイス可読媒体１３０に又は処理回路１２０内のメモリに記憶された命令を実行し得る。
【００７９】
図示されているように、処理回路１２０は、ＲＦトランシーバ回路１２２、ベースバンド処理回路１２４、及びアプリケーション処理回路１２６のうちの１つ又は複数を含む。他の実施形態において、処理回路は、異なる構成要素及び／又は異なる組合せの構成要素を備え得る。ある種の実施形態では、ＷＤ１１０の処理回路１２０は、ＳＯＣを備え得る。一部の実施形態では、ＲＦトランシーバ回路１２２、ベースバンド処理回路１２４、及びアプリケーション処理回路１２６は、別個のチップ又はチップのセット上にあることがある。代替実施形態において、ベースバンド処理回路１２４及びアプリケーション処理回路１２６の一部又はすべては、１つのチップ又はチップのセット内に結合され得、ＲＦトランシーバ回路１２２は、別個のチップ又はチップのセット上にあってもよい。さらに代替実施形態において、ＲＦトランシーバ回路１２２及びベースバンド処理回路１２４の一部又はすべては、同じチップ又はチップのセット上にあることがあり、アプリケーション処理回路１２６は、別個のチップ又はチップのセット上にあることがある。さらに他の代替実施形態において、ＲＦトランシーバ回路１２２、ベースバンド処理回路１２４、及びアプリケーション処理回路１２６の一部又はすべては、同じチップ又はチップのセット内に結合され得る。一部の実施形態では、ＲＦトランシーバ回路１２２は、インターフェース１１４の一部でもよい。ＲＦトランシーバ回路１２２は、処理回路１２０のＲＦ信号を調整し得る。
【００８０】
ある種の実施形態では、ＷＤによって実行されるものとして本明細書に記載の機能性の一部又はすべては、ある種の実施形態ではコンピュータ可読記憶媒体であることがある、デバイス可読媒体１３０に記憶された命令を実行する処理回路１２０によって提供され得る。代替実施形態において、機能性の一部の又はすべては、ハードワイヤード方式などで、別個の又はディスクリートデバイスの可読記憶媒体に記憶された命令を実行することなしに処理回路１２０によって提供され得る。それらの特定の実施形態のいずれかにおいて、デバイス可読記憶媒体に記憶された命令を実行してもしなくても、処理回路１２０は、記載された機能性を実行するように設定することができる。そのような機能性によって提供される利益は、単独で処理回路１２０に又はＷＤ１１０の他の構成要素に限定されず、全体としてのＷＤ１１０によって、及び／又は一般にエンドユーザ及びワイヤレスネットワークによって、享受される。
【００８１】
処理回路１２０は、ＷＤによって実行されるものとして本明細書に記載された任意の決定、計算、又は類似の動作（たとえば、ある種の取得動作）を実行するように設定され得る。処理回路１２０によって実行されるものとしての、これらの動作は、たとえば、取得された情報を他の情報に変換すること、取得された情報又は変換された情報をＷＤ１１０によって記憶された情報と比較すること、及び／又は取得された情報又は変換された情報に基づいて１つ又は複数の動作を実行することにより、処理回路１２０によって取得された情報を処理すること、並びに前記処理の結果として判定を行うことを含み得る。
【００８２】
デバイス可読媒体１３０は、コンピュータプログラム、ソフトウェア、ロジック、ルール、コード、テーブルなどのうちの１つ又は複数を含むアプリケーション及び／又は処理回路１２０によって実行することが可能な他の命令を記憶するように動作可能になり得る。デバイス可読媒体１３０は、コンピュータメモリ（たとえば、ランダムアクセスメモリ（ＲＡＭ）又は読取り専用メモリ（ＲＯＭ））、大容量記憶媒体（たとえば、ハードディスク）、取り外し可能記憶媒体（たとえば、コンパクトディスク（ＣＤ）又はデジタルビデオディスク（ＤＶＤ））、及び／又は処理回路１２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路１２０及びデバイス可読媒体１３０は、統合されたものとして考えられ得る。
【００８３】
ユーザインターフェース機器１３２は、人間のユーザがＷＤ１１０と相互作用することを可能にする構成要素を提供し得る。そのような相互作用は、視覚、聴覚、触覚などの多数の形態をとり得る。ユーザインターフェース機器１３２は、ユーザへの出力を生み出すように及びユーザが入力をＷＤ１１０に提供することを可能にするように動作可能になり得る。相互作用のタイプは、ＷＤ１１０にインストールされたユーザインターフェース機器１３２のタイプに応じて変化し得る。たとえば、ＷＤ１１０がスマートフォンである場合には、相互作用はタッチスクリーンを介し得、ＷＤ１１０がスマートメータである場合には、相互作用は、使用量（たとえば、使用されたガロン数）を提供するスクリーン又は警報音を提供する（たとえば、煙が検知された場合に）スピーカを介し得る。ユーザインターフェース機器１３２は、入力インターフェース、デバイス及び回路と、出力インターフェース、デバイス及び回路とを含み得る。ユーザインターフェース機器１３２は、ＷＤ１１０への情報の入力を可能にするように設定され、処理回路１２０に接続されて処理回路１２０が入力情報を処理することを可能にする。ユーザインターフェース機器１３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器１３２はまた、ＷＤ１１０からの情報の出力を可能にするように、及び処理回路１２０がＷＤ１１０から情報を出力することを可能にするように設定される。ユーザインターフェース機器１３２は、たとえば、スピーカ、ディスプレイ、振動回路、ＵＳＢポート、ヘッドフォンインターフェース、又は他の出力回路を含み得る。ユーザインターフェース機器１３２の１つ又は複数の入力及び出力インターフェース、デバイス、及び回路を使用し、ＷＤ１１０は、エンドユーザ及び／又はワイヤレスネットワークと通信することができ、それらが本明細書に記載の機能性から利益を得ることを可能にし得る。
【００８４】
補助機器１３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器１３４の構成要素の包含及びタイプは、実施形態及び／又はシナリオに応じて異なり得る。
【００８５】
一部の実施形態では、電源１３６は、バッテリ又はバッテリパックの形でもよい。外部電源（たとえば、電気コンセント）、光電池デバイス又は動力電池など、他のタイプの電源もまた使用され得る。ＷＤ１１０はさらに、本明細書に記載又は示された任意の機能性を実行するために電源１３６からの電力を必要とするＷＤ１１０の様々な部分に電源１３６から電力を届けるための電力回路１３７を備え得る。ある種の実施形態では、電力回路１３７は、電力管理回路を備え得る。電力回路１３７は、付加的に又は別法として外部電源から電力を受信するように動作可能になり得、その場合、ＷＤ１１０は、入力回路又は電気動力ケーブルなどのインターフェースを介して外部電源（電気コンセントなど）に接続可能になり得る。ある種の実施形態では、電力回路１３７はまた、外部電源から電源１３６に電力を届けるように動作可能になり得る。これは、たとえば、電源１３６の充電のためでもよい。電力回路１３７は、任意のフォーマッティング、変換、又は他の修正を電源１３６からの電力に実行して、電力を、電力が供給される先のＷＤ１１０のそれぞれの構成要素に適するようにさせることができる。
【００８６】
図２は、本明細書に記載する様々な態様による、ＵＥの一実施形態を示している。本明細書では、ユーザ機器又はＵＥは、関連デバイスを所有及び／又は操作する人間ユーザという意味でのユーザを必ずしも有さないことがある。そうではなく、ＵＥは、人間ユーザへの販売、又は人間ユーザによる操作向けに意図されるが、特定の人間ユーザに関連付けられていないことがある、又は最初は特定の人間ユーザに関連付けられていないことがあるデバイスを表し得る（たとえば、スマートスプリンクラコントローラ）。別法として、ＵＥは、エンドユーザへの販売又はエンドユーザによる操作向けに意図されていないが、ユーザの利益に関連し得る又はユーザの利益のために操作され得るデバイスを表し得る（たとえば、スマート電力メータ）。ＵＥ２２００は、ＮＢ−ＩｏＴ  ＵＥ、マシンタイプ通信（ＭＴＣ：ｍａｃｈｉｎｅ  ｔｙｐｅ  ｃｏｍｍｕｎｉｃａｔｉｏｎ）ＵＥ、及び／又は拡張ＭＴＣ（ｅＭＴＣ：ｅｎｈａｎｃｅｄ  ＭＴＣ）ＵＥを含む、第３世代パートナシッププロジェクト（３ＧＰＰ）によって識別された任意のＵＥでもよい。図２に示されているような、ＵＥ２００は、３ＧＰＰのＧＳＭ、ＵＭＴＳ、ＬＴＥ、及び／又は５Ｇ標準など、第３世代パートナシッププロジェクト（３ＧＰＰ）によって公表された１つ又は複数の通信標準による通信向けに設定されたＷＤの一例である。前述のように、ＷＤ及びＵＥという用語は、同義で使用され得る。したがって、図２はＵＥであるが、本明細書で論じられる構成要素は、ＷＤに同等に適用可能であり、逆もまた同様である。
【００８７】
図２では、ＵＥ２００は、入力／出力インターフェース２０５、無線周波数（ＲＦ）インターフェース２０９、ネットワーク接続インターフェース２１１、ランダムアクセスメモリ（ＲＡＭ）２１７、読取り専用メモリ（ＲＯＭ）２１９、及び記憶媒体２２１などを含むメモリ２１５、通信サブシステム２３１、電源２３３、及び／又は任意の他の構成要素、或いはその任意の組合せに動作可能なように連結された、処理回路２０１を含む。記憶媒体２２１は、オペレーティングシステム２２３、アプリケーションプログラム２２５、及びデータ２２７を含む。他の実施形態において、記憶媒体２２１は、他の類似のタイプの情報を含み得る。ある種のＵＥは、図２に示されたすべての構成要素、又はそれらの構成要素のサブセットのみを使用し得る。構成要素間の統合のレベルは、ＵＥによって異なり得る。さらに、ある種のＵＥは、複数のプロセッサ、メモリ、トランシーバ、送信器、受信器などの構成要素の複数のインスタンスを含み得る。
【００８８】
図２では、処理回路２０１は、コンピュータ命令及びデータを処理するように設定され得る。処理回路２０１は、１つ又は複数のハードウェア実装された状態マシン（たとえば、離散的なロジック、ＦＰＧＡ、ＡＳＩＣなどにおける）など、メモリ内のマシン可読コンピュータプログラムとして記憶されたマシン命令を実行するように動作可能な任意の順次状態マシン、適切なファームウェアと一緒のプログラマブルロジック、適切なソフトウェアと一緒の、マイクロプロセッサ又はデジタル信号プロセッサ（ＤＳＰ）などの、１つ又は複数の記憶されたプログラム、汎用プロセッサ、或いは前記の任意の組合せを実装するように設定され得る。たとえば、処理回路２０１は、２つの中央処理装置（ＣＰＵ）を含み得る。データは、コンピュータによる使用に適した形の情報でもよい。
【００８９】
図示された実施形態では、入力／出力インターフェース２０５は、通信インターフェースを入力デバイス、出力デバイス、或いは、入力及び出力デバイスに提供するように設定され得る。ＵＥ２００は、入力／出力インターフェース２０５を介して出力デバイスを使用するように設定され得る。出力デバイスは、入力デバイスと同じタイプのインターフェースポートを使用し得る。たとえば、ＵＳＢポートは、ＵＥ２００への入力及びＵＥ２００からの出力を提供するために使用され得る。出力デバイスは、スピーカ、サウンドカード、ビデオカード、ディスプレイ、モニタ、プリンタ、アクチュエータ、エミッタ、スマートカード、別の出力デバイス、又はその任意の組合せでもよい。ＵＥ２００は、ユーザがＵＥ２００内に情報をキャプチャすることを可能にするために入力／出力インターフェース２０５を介して入力デバイスを使用するように設定され得る。入力デバイスは、タッチセンサ式又はプレゼンスセンサ式ディスプレイ、カメラ（たとえば、デジタルカメラ、デジタルビデオカメラ、ウェブカメラなど）、マイクロフォン、センサ、マウス、トラックボール、方向性パッド、トラックパッド、スクロールホイール、スマートカードなどを含み得る。プレゼンスセンサ式ディスプレイは、ユーザからの入力を感知するための容量性又は抵抗性タッチセンサを含み得る。センサは、たとえば、加速度計、ジャイロスコープ、傾斜センサ、力センサ、磁力計、光センサ、近接センサ、別の同様のセンサ、又はその任意の組合せでもよい。たとえば、入力デバイスは、加速度計、磁力計、デジタルカメラ、マイクロフォン、及び光センサでもよい。
【００９０】
図２では、ＲＦインターフェース２０９は、送信器、受信器、及びアンテナなどのＲＦ構成要素に通信インターフェースを提供するように設定され得る。ネットワーク接続インターフェース２１１は、通信インターフェースをネットワーク２４３ａに提供するように設定され得る。ネットワーク２４３ａは、ローカルエリアネットワーク（ＬＡＮ）、ワイドエリアネットワーク（ＷＡＮ）、コンピュータネットワーク、ワイヤレスネットワーク、電気通信ネットワーク、別の同様のネットワーク又はその任意の組合せなど、ワイヤード及び／又はワイヤレスネットワークを包含し得る。たとえば、ネットワーク２４３ａは、Ｗｉ−Ｆｉネットワークを備え得る。ネットワーク接続インターフェース２１１は、イーサネット、ＴＣＰ／ＩＰ、ＳＯＮＥＴ、ＡＴＭなどの１つ又は複数の通信プロトコルによる通信ネットワークを介して１つ又は複数の他のデバイスと通信するために使用される受信器及び送信器インターフェースを含むように設定され得る。ネットワーク接続インターフェース２１１は、通信ネットワークリンク（たとえば、光、電気など）に適した受信器及び送信器機能性を実装し得る。送信器及び受信器機能は、回路構成要素、ソフトウェア又はファームウェアを共用し得、或いは別法として別個に実装され得る。
【００９１】
ＲＡＭ２１７は、オペレーティングシステム、アプリケーションプログラム、及びデバイスドライバなどのソフトウェアプログラムの実行中にデータ又はコンピュータ命令の記憶又はキャッシュを行うために処理回路２０１にバス２０２を介してインターフェースするように設定され得る。ＲＯＭ２１９は、コンピュータ命令又はデータを処理回路２０１に提供するように設定され得る。たとえば、ＲＯＭ２１９は、基本入力及び出力（Ｉ／Ｏ）、スタートアップ、又は不揮発性メモリに記憶されたキーボードからのキーストロークの受信などの基本システム機能のための不変の低レベルシステムコード又はデータを記憶するように設定され得る。記憶媒体２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピディスク、ハードディスク、取り外し可能カートリッジ、又はフラッシュドライブなどのメモリを含むように設定され得る。１つの例では、記憶媒体２２１は、オペレーティングシステム２２３、ウェブブラウザアプリケーションなどのアプリケーションプログラム２２５、ウィジェット若しくはガジェットエンジン又は別のアプリケーション、及びデータファイル２２７を含むように設定され得る。記憶媒体２２１は、ＵＥ２００によって使用するために、バラエティ豊かな様々なオペレーティングシステムのいずれか又はオペレーティングシステムの組合せを記憶し得る。
【００９２】
記憶媒体２２１は、ＲＡＩＤ（ｒｅｄｕｎｄａｎｔ  ａｒｒａｙ  ｏｆ  ｉｎｄｅｐｅｎｄｅｎｔ  ｄｉｓｋ）、フロッピディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ：ｈｉｇｈ−ｄｅｎｓｉｔｙ  ｄｉｇｉｔａｌ  ｖｅｒｓａｔｉｌｅ  ｄｉｓｃ）光ディスクドライブ、内部ハードディスクドライブ、ブルーレイ光ディスクドライブ、ホログラフィックデジタルデータストレージ（ＨＤＤＳ：ｈｏｌｏｇｒａｐｈｉｃ  ｄｉｇｉｔａｌ  ｄａｔａ  ｓｔｏｒａｇｅ）光ディスクドライブ、外部ミニデュアルインラインメモリモジュール（ＤＩＭＭ：ｍｉｎｉ−ｄｕａｌ  ｉｎ−ｌｉｎｅ  ｍｅｍｏｒｙ  ｍｏｄｕｌｅ）、同期型ダイナミックランダムアクセスメモリ（ＳＤＲＡＭ：ｓｙｎｃｈｒｏｎｏｕｓ  ｄｙｎａｍｉｃ  ｒａｎｄｏｍ  ａｃｃｅｓｓ  ｍｅｍｏｒｙ）、外部マイクロＤＩＭＭ  ＳＤＲＡＭ、加入者識別モジュール若しくは取り外し可能ユーザ識別（ＳＩＭ／ＲＵＩＭ：ｓｕｂｓｃｒｉｂｅｒ  ｉｄｅｎｔｉｔｙ  ｍｏｄｕｌｅ  ｏｒ  ａ  ｒｅｍｏｖａｂｌｅ  ｕｓｅｒ  ｉｄｅｎｔｉｔｙ）モジュールなどのスマートカードメモリ、他のメモリ、或いはその任意の組合せなどのいくつかの物理ドライブユニットを含むように設定され得る。記憶媒体２２１は、ＵＥ２００が、一時的又は非一時的メモリ媒体に記憶された、コンピュータで実行可能な命令、アプリケーションプログラムなどにアクセスすること、データをオフロードすること、或いはデータをアップロードすることを可能にし得る。通信システムを使用するものなどの製造品は、デバイス可読媒体を備え得る記憶媒体２２１において有形に実施され得る。
【００９３】
図２において、処理回路２０１は、通信サブシステム２３１を使用するネットワーク２４３ｂと通信するように設定され得る。ネットワーク２４３ａ及びネットワーク２４３ｂは、１つ又は複数の同じネットワーク或いは１つ又は複数の異なるネットワークでもよい。通信サブシステム２３１は、ネットワーク２４３ｂと通信するために使用される１つ又は複数のトランシーバを含むように設定され得る。たとえば、通信サブシステム２３１は、ＩＥＥＥ８０２．２、ＣＤＭＡ、ＷＣＤＭＡ、ＧＳＭ、ＬＴＥ、ＵＴＲＡＮ、ＷｉＭａｘなどの１つ又は複数の通信プロトコルによる無線アクセスネットワーク（ＲＡＮ）の別のＷＤ、ＵＥ、又は基地局など、ワイヤレス通信の能力を有する別のデバイスの１つ又は複数のリモートトランシーバと通信するために使用される１つ又は複数のトランシーバを含むように設定され得る。各トランシーバは、それぞれ、ＲＡＮリンクに適した送信器又は受信器機能性（たとえば、周波数割当てなど）を実装するために送信器２３３及び／又は受信器２３５を含み得る。さらに、各トランシーバの送信器２３３及び受信器２３５は、回路構成要素、ソフトウェア又はファームウェアを共用し得る、或いは別法として別個に実装され得る。
【００９４】
図示された実施形態において、通信サブシステム２３１の通信機能は、データ通信、音声通信、マルチメディア通信、ブルートゥースなどの短距離通信、近距離無線通信、位置を判定するためのグローバルポジショニングシステム（ＧＰＳ）の使用などの位置ベースの通信、別の同様の通信機能、或いはその任意の組合せを含み得る。たとえば、通信サブシステム２３１は、セルラ通信、Ｗｉ−Ｆｉ通信、ブルートゥース通信、及びＧＰＳ通信を含み得る。ネットワーク２４３ｂは、ローカルエリアネットワーク（ＬＡＮ）、ワイドエリアネットワーク（ＷＡＮ）、コンピュータネットワーク、ワイヤレスネットワーク、電気通信ネットワーク、別の同様のネットワーク又はその任意の組合せなど、ワイヤード及び／又はワイヤレスネットワークを包含し得る。たとえば、ネットワーク２４３ｂは、セルラネットワーク、Ｗｉ−Ｆｉネットワーク、及び／又は近距離無線ネットワークでもよい。電源２１３は、交流（ＡＣ）又は直流（ＤＣ）電力をＵＥ２００の構成要素に提供するように設定され得る。
【００９５】
本明細書に記載の特徴、利益及び／又は機能は、ＵＥ２００の構成要素のうちの１つにおいて実装され得る、又はＵＥ２００の複数の構成要素を横断して分割され得る。さらに、本明細書に記載の特徴、利益、及び／又は機能は、ハードウェア、ソフトウェア又はファームウェアの任意の組合せにおいて実装され得る。１つの例では、通信サブシステム２３１は、本明細書に記載の構成要素のいずれかを含むように設定され得る。さらに、処理回路２０１は、バス２０２を介してそのような構成要素のいずれかと通信するように設定され得る。別の例では、そのような構成要素のいずれかは、処理回路２０１によって実行されたときに本明細書に記載の対応する機能を実行するメモリに記憶されたプログラム命令によって表され得る。別の例では、そのような構成要素のうちのいずれかの構成要素の機能性は、処理回路２０１と通信サブシステム２３１との間で分割され得る。別の例では、そのような構成要素のうちのいずれかの構成要素の非計算集約的機能は、ソフトウェア又はファームウェアにおいて実装され得、計算集約的機能は、ハードウェアにおいて実装され得る。
【００９６】
図３は、一部の実施形態によって実装される機能が仮想化され得る仮想化環境３００を示す概略的ブロック図である。これに関連して、仮想化は、ハードウェアプラットフォーム、記憶デバイス及びネットワークリソースの仮想化を含み得る装置又はデバイスの仮想バージョンの作成を意味する。本明細書では、仮想化は、ノード（たとえば、仮想化された基地局又は仮想化された無線アクセスノード）に或いはデバイス（たとえば、ＵＥ、ワイヤレスデバイス又は任意の他のタイプの通信デバイス）又はその構成要素に適用することができ、機能性の少なくとも一部分が１つ又は複数の仮想構成要素として実装される（たとえば、１つ又は複数のアプリケーション、構成要素、機能、仮想マシン又は１つ又は複数のネットワーク内の１つ又は複数の物理処理ノードで実行するコンテナを介して）実装形態に関する。
【００９７】
一部の実施形態では、本明細書に記載の機能の一部又はすべては、ハードウェアノード３３０のうちの１つ又は複数によってホストされる１つ又は複数の仮想環境３００において実装された１つ又は複数の仮想マシンによって実行される仮想構成要素として実装され得る。さらに、仮想ノードが無線アクセスノードではない又は無線接続性（たとえば、コアネットワークノード）を必要としない実施形態では、そのとき、ネットワークノードは、完全に仮想化され得る。
【００９８】
本機能は、本明細書で開示される実施形態のうちのいくつかの実施形態の特徴、機能、及び／又は利益のうちのいくつかを実装するように動作可能な１つ又は複数のアプリケーション３２０（ソフトウェアインスタンス、仮想アプライアンス、ネットワーク機能、仮想ノード、仮想ネットワーク機能などと別称され得る）によって実装され得る。アプリケーション３２０は、処理回路３６０及びメモリ３９０を備えるハードウェア３３０を提供する仮想化環境３００において実行される。メモリ３９０は、処理回路３６０によって実行可能な命令３９５を含み、それにより、アプリケーション３２０は、本明細書で開示される特徴、利益、及び／又は機能のうちの１つ又は複数を提供するように動作可能である。
【００９９】
仮想化環境３００は、民生（ＣＯＴＳ：ｃｏｍｍｅｒｃｉａｌ  ｏｆｆ−ｔｈｅ−ｓｈｅｌｆ）プロセッサ、特定用途向け集積回路（ＡＳＩＣ）、或いはデジタル若しくはアナログハードウェア構成要素又は専用プロセッサを含む任意の他のタイプの処理回路でもよい、１セットの１つ又は複数のプロセッサ又は処理回路３６０を備えた、汎用又は専用ネットワークハードウェアデバイス３３０を備える。各ハードウェアデバイスは、命令３９５又は処理回路３６０によって実行されるソフトウェアを一時的に記憶するための非永続メモリでもよいメモリ３９０−１を備え得る。各ハードウェアデバイスは、物理ネットワークインターフェース３８０を含む、ネットワークインターフェースカードとしても知られる、１つ又は複数のネットワークインターフェースコントローラ（ＮＩＣ：ｎｅｔｗｏｒｋ  ｉｎｔｅｒｆａｃｅ  ｃｏｎｔｒｏｌｌｅｒ）３７０を備え得る。各ハードウェアデバイスはまた、ソフトウェア３９５がそこに記憶された非一時的、永続的、マシン可読記憶媒体３９０−２、及び／又は処理回路３６０によって実行可能な命令を含み得る。ソフトウェア３９５は、１つ又は複数の仮想化レイヤ３５０（ハイパーバイザとも呼ばれる）のインスタンスを作成するためのソフトウェア、仮想マシン３４０を実行するためのソフトウェア、並びに本明細書に記載のいくつかの実施形態に関連して記載された機能、特徴及び／又は利益をそれが実行することを可能にするソフトウェアを含む、任意のタイプのソフトウェアを含み得る。
【０１００】
仮想マシン３４０は、仮想処理、仮想メモリ、仮想ネットワーキング又はインターフェース及び仮想ストレージを備え、対応する仮想化レイヤ３５０又はハイパーバイザによって実行され得る。仮想アプライアンス３２０のインスタンスの異なる実施形態は、仮想マシン３４０のうちの１つ又は複数で実装され得、実装形態は、異なる形で行われ得る。
【０１０１】
動作中、処理回路３６０は、仮想マシンモニタ（ＶＭＭ：ｖｉｒｔｕａｌ  ｍａｃｈｉｎｅ  ｍｏｎｉｔｏｒ）と時に称されることがあるハイパーバイザ又は仮想化レイヤ３５０のインスタンスを作成するために、ソフトウェア３９５を実行する。仮想化レイヤ３５０は、仮想マシン３４０にネットワーキングハードウェアのように見える仮想オペレーティングプラットフォームを示し得る。
【０１０２】
図３に示されるように、ハードウェア３３０は、一般又は特定の構成要素を有するスタンドアロンネットワークノードでもよい。ハードウェア３３０は、アンテナ３２２５を備え得、仮想化を介していくつかの機能を実装し得る。別法として、ハードウェア３３０は、多数のハードウェアノードが連携する及び、とりわけアプリケーション３２０のライフサイクル管理を監督する、管理及び編成（ＭＡＮＯ：ｍａｎａｇｅｍｅｎｔ  ａｎｄ  ｏｒｃｈｅｓｔｒａｔｉｏｎ）３１００を介して管理される、ハードウェアのより大きなクラスタ（たとえば、データセンタ又は顧客構内機器（ＣＰＥ）内など）の一部でもよい。
【０１０３】
ハードウェアの仮想化は、いくつかの文脈では、ネットワーク機能仮想化（ＮＦＶ：ｎｅｔｗｏｒｋ  ｆｕｎｃｔｉｏｎ  ｖｉｒｔｕａｌｉｚａｔｉｏｎ）と称される。ＮＦＶは、データセンタ及び顧客構内機器内に置かれ得る、業界標準高容量サーバハードウェア、物理スイッチ、及び物理ストレージに多数のネットワーク機器タイプを統合するために使用され得る。
【０１０４】
ＮＦＶとの関連で、仮想マシン３４０は、プログラムが物理的な非仮想化マシンで実行していたかのようにプログラムを実行する物理マシンのソフトウェア実装形態でもよい。それぞれの仮想マシン３４０、及びその仮想マシンを実行するハードウェア３３０のその部分は、それがその仮想マシン専用のハードウェア及び／又は他の仮想マシン３４０とその仮想マシンによって共用されるハードウェアであれば、別個の仮想ネットワーク要素（ＶＮＥ）を形成する。
【０１０５】
さらにＮＦＶに関連して、仮想ネットワーク機能（ＶＮＦ：Ｖｉｒｔｕａｌ  Ｎｅｔｗｏｒｋ  Ｆｕｎｃｔｉｏｎ）は、ハードウェアネットワーキングインフラストラクチャ３３０の最上部の１つ又は複数の仮想マシン３４０において実行する特定のネットワーク機能を処理する責任を有し、図３のアプリケーション３２０に対応する。
【０１０６】
一部の実施形態では、１つ又は複数の送信器３２２０及び１つ又は複数の受信器３２１０をそれぞれ含む１つ又は複数の無線ユニット３２００は、１つ又は複数のアンテナ３２２５に連結され得る。無線ユニット３２００は、１つ又は複数の適切なネットワークインターフェースを介してハードウェアノード３３０と直接通信することができ、無線アクセスノード又は基地局などの無線能力を有する仮想ノードを提供するために仮想構成要素と組み合わせて使用され得る。
【０１０７】
一部の実施形態では、一部のシグナリングは、別法としてハードウェアノード３３０と無線ユニット３２００との間の通信のために使用され得る制御システム３２３０の使用の影響を受け得る。
【０１０８】
図４を参照すると、一実施形態によれば、通信システムは、無線アクセスネットワークなどのアクセスネットワーク４１１及びコアネットワーク４１４を備える、３ＧＰＰタイプのセルラネットワークなどの電気通信ネットワーク４１０を含む。アクセスネットワーク４１１は、それぞれが対応するカバレッジエリア４１３ａ、４１３ｂ、４１３ｃを規定する、ＮＢ、ｅＮＢ、ｇＮＢ又は他のタイプのワイヤレスアクセスポイントなどの複数の基地局４１２ａ、４１２ｂ、４１２ｃを備える。各基地局４１２ａ、４１２ｂ、４１２ｃは、ワイヤード又はワイヤレス接続４１５を介してコアネットワーク４１４に接続可能である。カバレッジエリア４１３ｃ内に置かれた第１のＵＥ４９１は、対応する基地局４１２ｃにワイヤレスで接続される又は対応する基地局４１２ｃによってページングされるように設定され得る。カバレッジエリア４１３ａ内の第２のＵＥ４９２は、対応する基地局４１２ａにワイヤレスに接続可能である。複数のＵＥ４９１、４９２が本例では図示されているが、開示される実施形態は、唯一のＵＥがカバレッジエリア内にある又は唯一のＵＥが対応する基地局４１２に接続している状況に同等に適用可能である。
【０１０９】
電気通信ネットワーク４１０自体は、ホストコンピュータ４３０に接続され、ホストコンピュータ４３０は、スタンドアロンサーバ、クラウド実装されたサーバ、分散型サーバのハードウェア及び／又はソフトウェアにおいて或いはサーバファーム内の処理リソースとして実施され得る。ホストコンピュータ４３０は、サービスプロバイダの所有権又は制御の下にあってもよく、或いはサービスプロバイダによって又はサービスプロバイダのために動作させられ得る。電気通信ネットワーク４１０とホストコンピュータ４３０との接続４２１及び４２２は、コアネットワーク４１４からホストコンピュータ４３０に直接延びてもよく、或いはオプションの中間ネットワーク４２０を介してもよい。中間ネットワーク４２０は、パブリックネットワーク、プライベートネットワーク又はホスト型ネットワークのうちの１つ、又はそれらのうちの２つ以上の組合せでもよく、中間ネットワーク４２０は、もしあるなら、バックボーンネットワーク又はインターネットでもよく、具体的には、中間ネットワーク４２０は、２つ以上のサブネットワーク（図示せず）を備え得る。
【０１１０】
全体としての図４の通信システムは、接続されたＵＥ４９１、４９２及びホストコンピュータ４３０の間の接続性を有効にする。接続性は、オーバーザトップ（ＯＴＴ：ｏｖｅｒ−ｔｈｅ−ｔｏｐ）接続４５０として説明され得る。ホストコンピュータ４３０及び接続されたＵＥ４９１、４９２は、媒介としてアクセスネットワーク４１１、コアネットワーク４１４、任意の中間ネットワーク４２０及び可能なさらなるインフラストラクチャ（図示せず）を使用し、ＯＴＴ接続４５０を介してデータ及び／又はシグナリングを通信するように設定される。ＯＴＴ接続４５０は、ＯＴＴ接続４５０が通過する参加通信デバイスはアップリンク及びダウンリンク通信のルーティングを認識しないという意味で、透過的になり得る。たとえば、基地局４１２は、接続されたＵＥ４９１に転送される（たとえば、ハンドオーバされる）ことになるホストコンピュータ４３０に由来するデータとの着信ダウンリンク通信の過去のルーティングに関して知らされないことがある、又は知らされる必要はない。同様に、基地局４１２は、ＵＥ４９１からホストコンピュータ４３０に向けて始められる外向きのアップリンク通信の未来のルーティングを認識する必要はない。
【０１１１】
前段落で論じられたＵＥ、基地局及びホストコンピュータの一実施形態による例示的実装形態について、図５を参照して、ここで説明する。通信システム５００では、ホストコンピュータ５１０は、通信システム５００の異なる通信デバイスのインターフェースとのワイヤード又はワイヤレス接続をセットアップ及び維持するように設定された通信インターフェース５１６を含むハードウェア５１５を備える。ホストコンピュータ５１０はさらに、ストレージ及び／又は処理能力を有し得る処理回路５１８を備える。具体的には、処理回路５１８は、１つ又は複数のプログラマブルプロセッサ、特定用途向け集積回路、フィールドプログラマブルゲートアレイ、或いは命令を実行するようになされたこれらの組合せ（図示せず）を備え得る。ホストコンピュータ５１０はさらに、ホストコンピュータ５１０に記憶された若しくはこれによってアクセス可能な及び処理回路５１８によって実行可能な、ソフトウェア５１１を備える。ソフトウェア５１１は、ホストアプリケーション５１２を含む。ホストアプリケーション５１２は、ＵＥ５３０及びホストコンピュータ５１０で終了するＯＴＴ接続５５０を介して接続するＵＥ５３０など、リモートユーザにサービスを提供するように動作可能になり得る。サービスのリモートユーザへの提供において、ホストアプリケーション５１２は、ＯＴＴ接続５５０を使用して送信されるユーザデータを提供し得る。
【０１１２】
通信システム５００はさらに、電気通信システムにおいて提供される並びにホストコンピュータ５１０と及びＵＥ５３０とそれが通信することを可能にするハードウェア５２５を備える、基地局５２０を含む。ハードウェア５２５は、通信システム５００の異なる通信デバイスのインターフェースとのワイヤード又はワイヤレス接続をセットアップ及び維持するための通信インターフェース５２６、並びに基地局５２０によってサービスされるカバレッジエリア（図５には図示せず）内に置かれたＵＥ５３０とのワイヤレス接続５７０を少なくともセットアップ及び維持するための無線インターフェース５２７を含み得る。通信インターフェース５２６は、ホストコンピュータ５１０への接続５６０を円滑にするように設定され得る。接続５６０は直接でもよく、或いは、接続５６０は、電気通信システムのコアネットワーク（図５には図示せず）を通過及び／又は電気通信システム外部の１つ又は複数の中間ネットワークを通過してもよい。示された実施形態では、基地局５２０のハードウェア５２５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路５２８を含む。基地局５２０はさらに、内部に記憶された又は外部接続を介してアクセス可能なソフトウェア５２１を有する。
【０１１３】
通信システム５００はさらに、すでに参照されたＵＥ５３０を含む。それのハードウェア５３５は、ＵＥ５３０が現在位置するカバレッジエリアにサービスする基地局とのワイヤレス接続５７０をセットアップ及び維持するように設定された無線インターフェース５３７を含み得る。ＵＥ５３０のハードウェア５３５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路５３８を含む。ＵＥ５３０はさらに、ＵＥ５３０に記憶された若しくはこれによってアクセス可能な及び処理回路５３８によって実行可能なソフトウェア５３１を備える。ソフトウェア５３１は、クライアントアプリケーション５３２を含む。クライアントアプリケーション５３２は、ホストコンピュータ５１０のサポートを有して、ＵＥ５３０を介して人間又は非人間ユーザにサービスを提供するように動作可能になり得る。ホストコンピュータ５１０では、実行中のホストアプリケーション５１２は、ＵＥ５３０及びホストコンピュータ５１０で終了するＯＴＴ接続５５０を介して実行中のクライアントアプリケーション５３２と通信し得る。ユーザへのサービス提供において、クライアントアプリケーション５３２は、ホストアプリケーション５１２から要求データを受信し、要求データに応答してユーザデータを提供することができる。ＯＴＴ接続５５０は、要求データ及びユーザデータの両方を転送することができる。クライアントアプリケーション５３２は、ユーザと相互作用して、それが提供するユーザデータを生成することができる。
【０１１４】
図５に示されたホストコンピュータ５１０と、基地局５２０と、ＵＥ５３０とは、それぞれ、図４のホストコンピュータ４３０と、基地局４１２ａ、４１２ｂ、４１２ｃのうちの１つと、ＵＥ４９１、４９２のうちの１つと類似する又は同一であってもよいことに留意されたい。すなわち、これらのエンティティの内部の動きは、図５に示されるようでもよく、独立して、周囲のネットワークトポロジは、図４のそれでもよい。
【０１１５】
図５において、ＯＴＴ接続５５０は、媒介デバイスの明示的参照及びこれらのデバイスを介するメッセージの正確なルーティングなしに、基地局５２０を介するホストコンピュータ５１０とＵＥ５３０との通信を説明するために抽象的に描かれてある。ネットワークインフラストラクチャは、ルーティングを判定することができ、それは、ＵＥ５３０から若しくはサービスプロバイダオペレーティングホストコンピュータ５１０から又はその両方から隠すように設定され得る。ＯＴＴ接続５５０がアクティブである間、ネットワークインフラストラクチャは、それがルーティングを動的に変更する判定（たとえば、ネットワークの負荷バランシング検討又は再設定に基づく）をさらに行うことができる。
【０１１６】
ＵＥ５３０と基地局５２０との間のワイヤレス接続５７０は、本開示を通じて説明される実施形態の教示に従う。様々な実施形態のうちの１つ又は複数は、ワイヤレス接続５７０が最後のセグメントを形成する、ＯＴＴ接続５５０を使用してＵＥ５３０に提供されるＯＴＴサービスのパフォーマンスを改善する。より詳細には、これらの実施形態の教示は、レイテンシを改善し、それによってユーザの待機時間の低減及び反応の速さなどの利益をもたらしてもよい。
【０１１７】
測定手続きは、１つ又は複数の実施形態が改善するモニタリングデータレート、レイテンシ及び他の要因を目的として、提供され得る。測定結果の変動に応答して、ホストコンピュータ５１０とＵＥ５３０との間のＯＴＴ接続５５０を再設定するためのオプションのネットワーク機能性がさらに存在し得る。測定手続き及び／又はＯＴＴ接続５５０を再設定するためのネットワーク機能性は、ホストコンピュータ５１０のソフトウェア５１１及びハードウェア５１５において、又はＵＥ５３０のソフトウェア５３１及びハードウェア５３５において、又はその両方で実装され得る。実施形態において、センサ（図示せず）は、ＯＴＴ接続５５０が通過する通信デバイスにおいて又はそのような通信デバイスに関連して配備され得、センサは、上記で例示されたモニタされる数量の値を供給すること、或いはそこからソフトウェア５１１、５３１がモニタされる数量を計算又は推定し得る他の物理数量の値を供給することによって、測定手続きに参加し得る。ＯＴＴ接続５５０の再設定は、メッセージフォーマット、再送信設定、好ましいルーティングなどを含み得、再設定は基地局５２０に影響を及ぼす必要はなく、そして、それは基地局５２０に知られてなくても又は感知できなくてもよい。そのような手続き及び機能性は、当分野では知られており、実施されることがある。ある種の実施形態では、測定は、スループット、伝搬時間、レイテンシなどのホストコンピュータ５１０の測定を円滑にする占有ＵＥシグナリングを含み得る。ソフトウェア５１１及び５３１が、ＯＴＴ接続５５０を使用し、それが伝搬時間、エラーなどをモニタする間に、メッセージ、具体的には空の又は「ダミー」メッセージ、を送信させるので、測定は実装され得る。
【０１１８】
図６は、１つの実施形態による、通信システムにおいて実装される方法を示す流れ図である。通信システムは、図１２及び１３を参照して説明されるものでもよいホストコンピュータ、基地局及びＵＥを含む。本開示を簡単にするために、図６のみの図面の参照が、このセクションに含まれることになる。ステップ６１０において、ホストコンピュータはユーザデータを提供する。ステップ６１０のサブステップ６１１（オプションでもよい）では、ホストコンピュータは、ホストアプリケーションを実行することによって、ユーザデータを提供する。ステップ６２０では、ホストコンピュータは、ユーザデータをＵＥに運ぶ送信を開始する。ステップ６３０（オプションでもよい）では、基地局が、本開示を通して説明される実施形態の教示に従って、ホストコンピュータが開始した送信において運ばれたユーザデータをＵＥに送信する。ステップ６４０（やはりオプションでもよい）で、ＵＥは、ホストコンピュータによって実行されるホストアプリケーションに関連するクライアントアプリケーションを実行する。
【０１１９】
図７は、１つの実施形態による、通信システムにおいて実装される方法を示す流れ図である。通信システムは、図１２及び１３を参照して説明されるものでもよいホストコンピュータ、基地局及びＵＥを含む。本開示を簡単にするために、図７の図面の参照のみが、このセクションに含まれることになる。本方法のステップ７１０において、ホストコンピュータはユーザデータを提供する。オプションのサブステップ（図示せず）において、ホストコンピュータは、ホストアプリケーションを実行することによって、ユーザデータを提供する。ステップ７２０で、ホストコンピュータは、ユーザデータをＵＥに運ぶ送信を開始する。送信は、本開示を通して説明される実施形態の教示によれば、基地局を通り得る。ステップ７３０（オプションでもよい）で、ＵＥは、その送信で運ばれたユーザデータを受信する。
【０１２０】
図８は、１つの実施形態による、通信システムにおいて実装される方法を示す流れ図である。通信システムは、図１２及び１３を参照して説明されるものでもよいホストコンピュータ、基地局及びＵＥを含む。本開示を簡単にするために、図８の図面の参照のみが、このセクションに含まれることになる。ステップ８１０（オプションでもよい）で、ＵＥは、ホストコンピュータによって提供された入力データを受信する。追加で又は別法として、ステップ８２０で、ＵＥはユーザデータを提供する。ステップ８２０のサブステップ８２１（オプションでもよい）で、ＵＥは、クライアントアプリケーションを実行することによって、ユーザデータを提供する。ステップ８１０のサブステップ８１１（オプションでもよい）で、ＵＥは、ホストコンピュータによって提供される受信された入力データに反応してユーザデータを提供するクライアントアプリケーションを実行する。ユーザデータの提供において、実行されるクライアントアプリケーションは、ユーザから受信されたユーザ入力をさらに考慮し得る。ユーザデータが提供された具体的方式に関わらず、ＵＥは、サブステップ８３０（オプションでもよい）で、ユーザデータのホストコンピュータへの送信を開始する。本方法のステップ８４０において、ホストコンピュータは、本開示を通して説明される実施形態の教示によれば、ＵＥから送信されたユーザデータを受信する。
【０１２１】
図９は、１つの実施形態による、通信システムにおいて実装された方法を示す流れ図である。通信システムは、図１２及び１３を参照して説明されるものでもよいホストコンピュータ、基地局及びＵＥを含む。本開示を簡単にするために、図９の図面の参照のみが、このセクションに含まれることになる。ステップ９１０（オプションでもよい）において、本開示を通して説明される実施形態の教示に従って、基地局は、ユーザデータをＵＥから受信する。ステップ９２０（オプションでもよい）で、基地局は、受信されたユーザデータのホストコンピュータへの送信を開始する。ステップ９３０（オプションでもよい）で、ホストコンピュータは、基地局によって開始された送信で運ばれたユーザデータを受信する。
【０１２２】
本明細書で開示される任意の適切なステップ、方法、特徴、機能、又は利益は、１つ又は複数の仮想装置の１つ又は複数の機能ユニット又はモジュールを介して実行され得る。各仮想装置は、いくつかのこれらの機能ユニットを備え得る。これらの機能ユニットは、１つ又は複数のマイクロプロセッサ又はマイクロコントローラを含み得る、処理回路、並びに、デジタル信号プロセッサ（ＤＳＰ）、専用デジタルロジックなどを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光記憶デバイスなど、１つの又はいくつかのタイプのメモリを含み得る。メモリに記憶されたプログラムコードは、１つ若しくは複数の電気通信及び／又はデータ通信プロトコルを実行するプログラム命令、並びに本明細書に記載される技術の１つ若しくは複数を実施する命令を含む。いくつかの実装形態では、処理回路は、本開示の１つ又は複数の実施形態による対応する機能をそれぞれの機能的ユニットに実施させるのに使用されてもよい。
【０１２３】
図１０は、特定の実施形態による方法を示しており、方法は、ステップ１００１で始まり、第１の無線アクセス技術で送信するための第１の設定最大送信電力値（Ｐ＿ｃｍａｘ１）を決定する。方法は、ステップ１００２に続き、第２の無線アクセス技術で送信するための第２の設定最大送信電力値（Ｐ＿ｃｍａｘ２）を決定する。方法は、ステップ１００３に続き、Ｐ＿ｃｍａｘ１以下の電力で第１の無線アクセス技術で送信を実施する。方法は、ステップ１００４で終わり、Ｐ＿ｃｍａｘ２以下の電力で第２の無線アクセス技術で送信を実施する。Ｐ＿ｃｍａｘ１及びＰ＿ｃｍａｘ２を決定する技術の例は、後述するグループＡ実施形態に記載されている。
【０１２４】
図１１は、ワイヤレスネットワーク（例えば、図１に示されるワイヤレスネットワーク）の装置１１００の概略的ブロック図を示している。装置は、ワイヤレスデバイス又はネットワークノード（例えば、図１に示されるワイヤレスデバイス１１０又はネットワークノード１６０）で実装されてもよい。装置１１００は、図１０を参照して記載される例示の方法、及び場合によっては本明細書に開示される他の任意のプロセス又は方法を実施するように動作可能である。また、図１０の方法は必ずしも装置１１００のみによって実施されなくてもよいことが理解されるべきである。方法の少なくともいくつかの動作は、１つ又は複数の他のエンティティによって実施することができる。
【０１２５】
仮想装置１１００は、１つ若しくは複数のマイクロプロセッサ又はマイクロコントローラを含んでもよい、処理回路、並びにデジタル信号プロセッサ（ＤＳＰ）、専用デジタル論理などを含んでもよい、他のデジタルハードウェアを備えてもよい。処理回路は、読出し専用メモリ（ＲＯＭ）、ランダムアクセスメモリ、キャッシュメモリ、フラッシュメモリデバイス、光学記憶デバイスなど、１つ又は複数のタイプのメモリを含んでもよい、メモリに記憶されたプログラムコードを実行するように設定されてもよい。いくつかの実施形態では、メモリに記憶されたプログラムコードは、１つ又は複数の電気通信及び／又はデータ通信プロトコルを実行するためのプログラム命令並びに本明細書に記載の技法のうちの１つ又は複数を実行するための命令を含む。いくつかの実装形態では、処理回路は、第１の無線アクセス技術ユニット１１０２、第２の無線アクセス技術ユニット１１０４、及び装置１１００の他の任意の適切なユニットに、本開示の１つ又は複数の実施形態による対応する機能を実施させるのに使用されてもよい。
【０１２６】
図１１に示されるように、装置１１００は、第１の無線アクセス技術ユニット１１０２と第２の無線アクセス技術ユニット１１０４とを含む。各無線アクセス技術ユニット１１０２及び１１０４は、それぞれの無線アクセス技術の機能性を実施するハードウェア／ソフトウェアを含む。例えば、第１の無線アクセス技術ユニット１１０２は、図１０のステップ１００１及び１００３を実施するように設定することができ、第２の無線アクセス技術ユニット１１０４は、図１０のステップ１００２及び１００４を実施するように設定することができる。一例として、特定の実施形態では、第１の無線アクセス技術ユニット１１０２は、ＬＴＥの機能性を実施するように設定され、第２の無線アクセス技術ユニット１１０４は、ＮＲの機能性を実施するように設定される。実施形態では、第１の無線アクセス技術ユニット１１０２の機能性は、ＬＴＥで送信するための第１の設定最大送信電力値（Ｐ＿ｃｍａｘ１）を決定することと、Ｐ＿ｃｍａｘ１以下の電力でＬＴＥ送信を実施することとを含む。実施形態では、第２の無線アクセス技術ユニット１１０４の機能性は、ＮＲで送信するための第２の設定最大送信電力値（Ｐ＿ｃｍａｘ２）を決定することと、Ｐ＿ｃｍａｘ２以下の電力でＮＲ送信を実施することとを含む。
【０１２７】
特定の実施形態によって、第２の無線アクセス技術ユニット１１０４の送信又は設定のセッティングを考慮することなく、第１の無線アクセス技術ユニット１１０２が独立して動作することができる、より単純な実装形態が可能になる（例えば、第１の無線アクセス技術ユニット１１０２は、第２の無線アクセス技術ユニット１１０４が第２の無線アクセス技術で送信するようにスケジューリングされているか否かに関わらず、第２の無線アクセス技術での送信はないものと仮定する）。特定の実施形態によって、第２の無線アクセス技術ユニット１１０４が、第１の無線アクセス技術ユニット１１０２の送信及び／又は設定のセッティングを考慮することが可能になり、それが特定のシナリオにおいて干渉を低減する助けとなり得る。
【０１２８】
ユニットという用語は、エレクトロニクス、電気デバイス、及び／又は電子デバイスの分野における従来の意味を有してもよく、例えば、本明細書に記載されるような、それぞれのタスク、手順、計算、出力、及び／又は表示機能などを実施する、電気及び／又は電子回路、デバイス、モジュール、プロセッサ、メモリ、論理固体及び／又は離散的デバイス、コンピュータプログラム又は命令を含んでもよい。
【０１２９】
いくつかの実施形態では、コンピュータプログラム、コンピュータプログラム製品、又はコンピュータ可読記憶媒体は、コンピュータで実行されたとき、本明細書に開示する実施形態のいずれかを実施する命令を含む。さらなる例では、命令は、信号又はキャリアで伝達され、コンピュータ上で実行可能であり、実行されたとき本明細書に開示する実施形態のいずれかを実施する。
【０１３０】
サンプルの実施形態
グループＡ実施形態
１．送信電力設定を決定する、ワイヤレスデバイスによって実施される方法であって、以下を含む方法：
−  第１の無線アクセス技術で送信するための第１の設定最大送信電力値（Ｐ＿ｃｍａｘ１）を決定することと、
−  第２の無線アクセス技術で送信するための第２の設定最大送信電力値（Ｐ＿ｃｍａｘ２）を決定することと、
−  Ｐ＿ｃｍａｘ１以下の電力で第１の無線アクセス技術で送信を実施することと、
−  Ｐ＿ｃｍａｘ２以下の電力で第２の無線アクセス技術で送信を実施すること。
２．前の実施形態の方法、そこで、第１の無線アクセスノードで送信を実施することが、物理チャネルを送信することを含む。
３．前の実施形態のいずれかの方法、そこで、第２の無線アクセスノードで送信を実施することが、物理チャネルを送信することを含む。
４．前の実施形態のいずれかの方法、そこで、物理チャネルが、ＰＵＣＣＨ、ＰＵＳＣＨ、又はＰＲＡＣＨである。
５．前の実施形態のいずれかの方法、そこで、第１の無線アクセスノードで送信を実施することが、信号を送信することを含む。
６．前の実施形態のいずれかの方法、そこで、第２の無線アクセスノードで送信を実施することが、信号を送信することを含む。
７．前の実施形態のいずれかの方法、そこで、信号がサウンディング参照信号（ＳＲＳ）である。
８．前の実施形態のいずれかの方法、そこで、Ｐ＿ｃｍａｘ１が、以下のうち１つ又は複数に基づいて決定される：
−  ワイヤレスデバイス能力シグナリングの一部としてワイヤレスデバイスがネットワークに対して示す電力クラス値（Ｐ＿ｐｏｗｅｒｃｌａｓｓ）、
−  第１のランダムアクセス技術の最大許容電力値（Ｐ＿ＲＡＴ１）、
−  第１の最大電力低減値（ＭＰＲ１）、
−  第１のバックオフ値（ＢＯ１）。
９．前の実施形態のいずれかの方法、そこで、Ｐ＿ｃｍａｘ２が、以下のうち１つ又は複数に基づいて決定される：
−  Ｐ＿ｐｏｗｅｒｃｌａｓｓ、
−  第２のランダムアクセス技術の最大許容電力値（Ｐ＿ＲＡＴ２）、
−  第２の最大電力低減値（ＭＰＲ２）、
−  第２のバックオフ値（ＢＯ２）、
−  Ｐ＿ｃｍａｘ１、
−  ＭＰＲ１、
−  ＢＯ１。
１０．前の実施形態のいずれかの方法、そこで、Ｐ＿ｃｍａｘ１が、ＭＰＲ１及び／又はＢＯ１に少なくとも部分的に基づいて決定され、ＭＰＲ１及び／又はＢＯ１が、ワイヤレスデバイスが第２の無線アクセス技術で送信するようにスケジューリングされているか否かに関わらず、第２の無線アクセス技術での送信がないと仮定して、ワイヤレスデバイスによって決定される。
１１．前の実施形態のいずれかの方法、そこで、Ｐ＿ｃｍａｘ２が、ＭＰＲ２及び／又はＢＯ２に少なくとも部分的に基づいて決定され、ＭＰＲ２及び／又はＢＯ２が、第１の無線技術及び第２の無線アクセス技術の両方に関してスケジューリングされた送信を考慮することによって、ワイヤレスデバイスによって決定される。
１２．実施形態１〜１０のいずれかの方法、そこで、Ｐ＿ｃｍａｘ２が、
ａ．ＭＰＲ２及び／又はＢＯ２の少なくとも１つ、並びに、
ｂ．ＭＰＲ１、ＢＯ１、及び／又はＰ＿ｃｍａｘの少なくとも１つ、に少なくとも部分的に基づいて決定され、
そこで、ＭＰＲ２及び／又はＢＯ２が、ワイヤレスデバイスが第１の無線技術で送信するようにスケジューリングされているか否かに関わらず、第１の無線アクセス技術での送信がないと仮定して、ワイヤレスデバイスによって決定される。
１３．実施形態１〜１０のいずれかの方法、そこで、Ｐ＿ｃｍａｘ２が、第１の無線アクセス技術で進行中の送信の送信電力に少なくとも部分的に基づいて決定される。
１４．実施形態１〜１０のいずれかの方法、そこで、Ｐ＿ｃｍａｘ２がＰ＿ＲＡＴ２よりも低く、Ｐ−ｃｍａｘ２がＰ＿ｃｍａｘ１よりも低い。
１５．前の実施形態のいずれかの方法、そこで、第１の無線アクセス技術がロングタームエボリューション（ＬＴＥ）であり、第２の無線アクセス技術が新無線（ＮＲ）である。
１６．前の実施形態のいずれかの方法、そこで、Ｐ＿ｃｍａｘ１を決定することが、Ｐ＿ｃｍａｘ１の下限及び上限を決定することと、それらの限界内の値を使用することとを含む。
１７．前の実施形態のいずれかの方法、そこで、Ｐ＿ｃｍａｘ２を決定することが、Ｐ＿ｃｍａｘ２の下限及び上限を決定することと、それらの限界内の値を使用することとを含む。
１８．前の実施形態のいずれかの方法、そこで、第１の無線アクセス技術で実施される送信、及び第２の無線アクセス技術で実施される送信が両方とも、Ｐ＿ｃｍａｘ２によって制限される。
１９．前の実施形態のいずれかの方法、そこで、ＭＰＲ１が、ＬＴＥ無線アクセス技術のみに対応する送信に割り当てられるリソースブロックの数及び位置に基づく。
２０．前の実施形態のいずれかの方法、そこで、ＭＰＲ２が、ＮＲ無線アクセス技術に対応する送信に割り当てられるリソースブロックの数及び位置に基づき、またＬＴＥ無線アクセス技術に対応する送信に割り当てられるリソースブロックの数及び位置に基づく。
２１．実施形態１〜１９のいずれかの方法、そこで、ＭＰＲ２が、ＮＲ無線アクセス技術のみに対応する送信に割り当てられるリソースブロックの数及び位置に基づく。
２２．さらに以下を含む、前の実施形態のいずれかの方法：
−  第１の無線アクセス技術のそれぞれのキャリアで送信するための、キャリア当たりの第１の設定最大送信電力値（Ｐ＿ｃｍａｘ１，ｃ）を決定することと、
−  それぞれのＰ＿ｃｍａｘ１，ｃ以下の電力で第１の無線アクセス技術のキャリアで送信を実施すること。
２３．前の実施形態の方法、そこで、Ｐ＿ｃｍａｘ１が、
−  Ｐ＿ｃｍａｘ＿Ｌ以上（Ｐ＿ｃｍａｘ＿ＬはＭＩＮ｛１０ｌｏｇ１０ΣＭＩＮ［ｐＥＭＡＸ，ｃ，ｐＰｏｗｅｒＣｌａｓｓ／（ｘ−ｍｐｒ，ｃ）］，ＰＰｏｗｅｒＣｌａｓｓ｝に等しい）、並びに、
−  Ｐ＿ｃｍａｘ＿Ｈ以下（Ｐ＿ｃｍａｘ＿Ｈは、ＭＩＮ｛１０ｌｏｇ１０ΣｐＥＭＡＸ，ｃ，ＰＰｏｗｅｒＣｌａｓｓ｝）である。
２４．さらに以下を含む、前の実施形態のいずれかの方法：
−  第２の無線アクセス技術のそれぞれのキャリアで送信するための、キャリア当たりの第２の設定最大送信電力値（Ｐ＿ｃｍａｘ２，ｃ）を決定することと、
−  Ｐ＿ｃｍａｘ２，ｃ以下の電力で第２の無線アクセス技術のキャリアで送信を実施すること。
２５．さらに以下を含む、前の実施形態のいずれかの方法：
−  ユーザデータを提供することと、
−  基地局への送信によって、ユーザデータをホストコンピュータに転送すること。
【０１３１】
グループＢ実施形態
２６．以下を含む、基地局によって実施される方法：
−  ワイヤレスデバイスが第１の無線アクセス技術の第１の設定最大送信電力値（Ｐ＿ｃｍａｘ１）を決定するとき、ワイヤレスデバイスが第１の無線アクセス技術及び第２の無線アクセス技術両方に対してスケジューリングされた送信を考慮するか否かを示す、インジケータの設定を決定することと、
−  インジケータをワイヤレスデバイスに送出すること。
２７．以下を含む、基地局によって実施される方法：
−  第１の無線アクセス技術で送信するための第１の設定最大送信電力値（Ｐ＿ｃｍａｘ１）及び第２の無線アクセス技術で送信するための第２の設定最大送信電力値（Ｐ＿ｃｍａｘ２）をワイヤレスデバイスが導き出す情報をワイヤレスデバイスに送出すること。
２８．さらに以下を含む、前の実施形態のうちのいずれかの実施形態の方法：
−  ユーザデータを取得することと、
−  ホストコンピュータ又はワイヤレスデバイスにユーザデータを転送すること。
【０１３２】
グループＣ実施形態
２９．送信を実行するためのワイヤレスデバイスであって、以下を備えたワイヤレスデバイス：
−  グループＡ実施形態のうちのいずれかの実施形態のステップのうちのいずれかのステップを実行するように設定された処理回路と、
−  ワイヤレスデバイスに電力を供給するように設定された電源回路。
３０．基地局であって、以下を備えた基地局：
−  グループＢ実施形態のうちのいずれかの実施形態のステップのうちのいずれかのステップを実行するように設定された処理回路と、
−  ワイヤレスデバイスに電力を供給するように設定された電源回路。
３１．送信を実行するためのユーザ機器（ＵＥ）であって、以下を備えるＵＥ：
−  ワイヤレス信号を送る及び受信するように設定されたアンテナと、
−  アンテナに及び処理回路に接続されており、アンテナと処理回路との間で通信される信号を調節するように設定された無線フロントエンド回路と、
−  グループＡ実施形態のうちのいずれかの実施形態のステップのうちのいずれかのステップを実行するように設定された処理回路と、
−  処理回路に接続されており、ＵＥへの情報の入力が処理回路によって処理されることを可能にするように設定された入力インターフェースと、
−  処理回路に接続されており、処理回路によって処理されたＵＥからの情報を出力するように設定された出力インターフェースと、
−  処理回路に接続されており、ＵＥに電力を供給するように設定されたバッテリ。
３２．以下を備えたホストコンピュータを含む通信システム：
−  ユーザデータを提供するように設定された処理回路と、
−  ユーザ機器（ＵＥ）への送信のためにセルラネットワークにユーザデータを転送するように設定された通信インターフェース、
−  そこで、セルラネットワークは、無線インターフェース及び処理回路を有する基地局を備え、基地局の処理回路は、グループＢ実施形態のうちのいずれかの実施形態のステップのうちのいずれかのステップを実行するように設定されている。
３３．基地局をさらに含む、前の実施形態の通信システム。
３４．さらにＵＥを含む、前の２つの実施形態の通信システム、そこで、ＵＥは基地局と通信するように設定される。
３５．前の３つの実施形態の通信システム、そこでは：
−  ホストコンピュータの処理回路は、ホストアプリケーションを実行するように設定され、それによってユーザデータを提供する、そして、
−  ＵＥは、ホストアプリケーションと関連するクライアントアプリケーションを実行するように設定された処理回路を備える。
３６．ホストコンピュータ、基地局及びユーザ機器（ＵＥ）を含む通信システムにおいて実装される方法であって、以下を含む方法：
−  ホストコンピュータにおいて、ユーザデータを提供することと、
−  ホストコンピュータにおいて、基地局を備えたセルラネットワークを介してＵＥにユーザデータを運ぶ送信を開始すること、そこで、基地局は、グループＢ実施形態のうちのいずれかの実施形態のステップのうちのいずれかのステップを実行する。
３７．基地局において、ユーザデータを送信することをさらに含む、前の実施形態の方法。
３８．前の２つの実施形態の方法、そこで、ユーザデータは、ホストアプリケーションを実行することによってホストコンピュータにおいて提供され、本方法は、ＵＥにおいて、ホストアプリケーションと関連するクライアントアプリケーションを実行することをさらに含む。
３９．基地局と通信するように設定されたユーザ機器（ＵＥ）であって、前の３つの実施形態を実行するように設定された無線インターフェース及び処理回路を備えたＵＥ。
４０．以下を備えた、ホストコンピュータを含む通信システム：
−  ユーザデータを提供するように設定された処理回路と、
−  ユーザ機器（ＵＥ）への送信のためにセルラネットワークにユーザデータを転送するように設定された通信インターフェース、
−  そこで、ＵＥは、無線インターフェース及び処理回路を備え、ＵＥの構成要素は、グループＡ実施形態のうちのいずれかの実施形態のステップのうちのいずれかのステップを実行するように設定される。
４１．前の実施形態の通信システム、そこで、セルラネットワークは、ＵＥと通信するように設定された基地局をさらに含む。
４２．前の２つの実施形態の通信システム、そこで：
−  ホストコンピュータの処理回路は、ホストアプリケーションを実行するように設定され、それによってユーザデータを提供する、そして、
−  ＵＥの処理回路は、ホストアプリケーションと関連するクライアントアプリケーションを実行するように設定される。
４３．ホストコンピュータ、基地局及びユーザ機器（ＵＥ）を含む通信システムにおいて実装される方法であって、以下を含む方法：
−  ホストコンピュータにおいて、ユーザデータを提供することと、
−  ホストコンピュータにおいて、基地局を備えたセルラネットワークを介してＵＥにユーザデータを運ぶ送信を開始すること、そこで、ＵＥは、グループＡ実施形態のうちのいずれかの実施形態のステップのうちのいずれかのステップを実行する。
４４．ＵＥにおいて、基地局からユーザデータを受信することをさらに含む、前の実施形態の方法。
４５．以下を備えたホストコンピュータを含む通信システム：
−  ユーザ機器（ＵＥ）から基地局への送信に由来するユーザデータを受信するように設定された通信インターフェース、
−  そこで、ＵＥは、無線インターフェース及び処理回路を備え、ＵＥの処理回路は、グループＡ実施形態のうちのいずれかの実施形態のステップのうちのいずれかのステップを実行するように設定される。
４６．ＵＥをさらに含む、前の実施形態の通信システム。
４７．基地局をさらに含む、前の２つの実施形態の通信システムであって、そこで、基地局は、ＵＥと通信するように設定された無線インターフェースと、ＵＥから基地局への送信によって運ばれたユーザデータをホストコンピュータに転送するように設定された通信インターフェースとを含む。
４８．前の３つの実施形態の通信システム、そこでは：
−  ホストコンピュータの処理回路は、ホストアプリケーションを実行するように設定され、そして、
−  ＵＥの処理回路は、ホストアプリケーションと関連するクライアントアプリケーションを実行するように設定され、それによってユーザデータを提供する。
４９．前の４つの実施形態の通信システム、そこでは：
−  ホストコンピュータの処理回路は、ホストアプリケーションを実行するように設定され、それによって要求データを提供し、そして、
−  ＵＥの処理回路は、ホストアプリケーションと関連するクライアントアプリケーションを実行するように設定され、それによって要求データに応答してユーザデータを提供する。
５０．ホストコンピュータ、基地局及びユーザ機器（ＵＥ）を含む通信システムにおいて実装される方法であって、以下を含む方法：
−  ホストコンピュータにおいて、ＵＥから基地局に送信されるユーザデータを受信すること、そこで、ＵＥは、グループＡ実施形態のうちのいずれかの実施形態のステップのうちのいずれかのステップを実行する。
５１．ＵＥにおいて、基地局にユーザデータを提供することをさらに含む、前の実施形態の方法。
５２．以下をさらに含む、前の２つの実施形態の方法：
−  ＵＥにおいて、クライアントアプリケーションを実行し、それによって送信されることになるユーザデータを提供することと、
−  ホストコンピュータにおいて、クライアントアプリケーションと関連するホストアプリケーションを実行すること。
５３．以下をさらに含む、前の３つの実施形態の方法：
−  ＵＥにおいて、クライアントアプリケーションを実行することと、
−  ＵＥにおいて、クライアントアプリケーションへの入力データを受信することであり、入力データは、クライアントアプリケーションと関連するホストアプリケーションを実行することによって、ホストコンピュータにおいて提供される、こと、
−  そこで、送信されることになるユーザデータは、入力データに応答して、クライアントアプリケーションによって提供される。
５４．ユーザ機器（ＵＥ）から基地局への送信に由来するユーザデータを受信するように設定された通信インターフェースを備えたホストコンピュータを含む通信システム、そこで、基地局は、無線インターフェース及び処理回路を備え、基地局の処理回路は、グループＢ実施形態のうちのいずれかの実施形態のステップのうちのいずれかのステップを実行するように設定される。
５５．基地局をさらに含む、前の実施形態の通信システム。
５６．ＵＥをさらに含む、前の２つの実施形態の通信システム、そこで、ＵＥは、基地局と通信するように設定される。
５７．前の３つの実施形態の通信システム、そこでは：
−  ホストコンピュータの処理回路は、ホストアプリケーションを実行するように設定され、
−  ＵＥは、ホストアプリケーションと関連するクライアントアプリケーションを実行するように設定され、それによって、ホストコンピュータによって受信されることになるユーザデータを提供する。
５８．ホストコンピュータ、基地局及びユーザ機器（ＵＥ）を含む通信システムにおいて実装される方法であって、以下を含む方法：
−  ホストコンピュータにおいて、基地局がＵＥから受信した送信に由来するユーザデータを基地局から受信すること、そこで、ＵＥは、グループＡ実施形態のうちのいずれかの実施形態のステップのうちのいずれかのステップを実行する。
５９．基地局において、ＵＥからユーザデータを受信することをさらに含む、前の実施形態の方法。
６０．基地局において、受信されたユーザデータのホストコンピュータへの送信を開始することをさらに含む、前の２つの実施形態の方法。
【０１３３】
図１２は、ワイヤレスデバイスで使用される別の一例の方法１２００を示している。ステップ１２１０で、第１のＲＡＴで送信するための、第１の設定最大送信電力値（Ｐ＿ｃｍａｘ１）が決定されてもよい。Ｐ＿ｃｍａｘ１は、第１のＲＡＴの１つ又は複数の送信に基づいて決定される。いくつかの実施形態では、Ｐ＿ｃｍａｘ１は、第１のＲＡＴの送信に割り当てられるリソースブロックの数に基づいて決定される、第１の最大電力低減値（ＭＰＲ１）に少なくとも基づく。いくつかの実施形態では、ＭＰＲ１はさらに、第１のＲＡＴの送信に割り当てられるリソースブロックの位置に基づく。いくつかの実施形態では、ＭＰＲ１は、第１のＲＡＴのみの送信に割り当てられるリソースブロックの数及び／又は位置に基づく。
【０１３４】
ステップ１２２０で、第２のＲＡＴで送信するための、第２の設定最大送信電力値（Ｐ＿ｃｍａｘ２）が決定されてもよい。Ｐ＿ｃｍａｘ２は、第１のＲＡＴ及び第２のＲＡＴ両方の送信（例えば、第１のＲＡＴの少なくとも１つの送信及び第２のＲＡＴの少なくとも１つの送信）に基づいて決定される。特定の実施形態では、Ｐ＿ｃｍａｘ２は、第１のＲＡＴ及び第２のＲＡＴ両方の送信に割り当てられるリソースブロックの数（例えば、第１のＲＡＴの送信に割り当てられるリソースブロックの数、及び第２のＲＡＴの送信に割り当てられるリソースブロックの数）に基づいて決定される、第２の最大電力低減値（ＭＰＲ２）に少なくとも基づく。特定の実施形態では、Ｐ＿ｃｍａｘ２は、第１の無線アクセス技術における現在の送信の送信電力に少なくとも部分的に基づいて決定される。いくつかの実施形態では、ＭＰＲ２はさらに、第１及び第２のＲＡＴに割り当てられたリソースブロックの位置に基づく。
【０１３５】
特定の実施形態では、Ｐ＿ｃｍａｘ１及びＰ＿ｃｍａｘ２は、第１のＲＡＴの同じ、部分的に同じ、又は異なる１つ若しくは複数の送信に基づいて決定することができる。例えば、Ｐ＿ｃｍａｘ１は、第１のＲＡＴの１つ又は複数の第１の送信に基づいて決定することができ、Ｐ＿ｃｍａｘ２は、第１のＲＡＴの１つ又は複数の第２の送信に基づいて決定することができ、第１のＲＡＴの第１及び第２の送信は、同じ送信であってもよく、同じ送信の一部を含んでもよく、並びに／或いは同じ送信を何ら含まなくてもよい。これは、各決定において、即ちＰ＿ｃｍａｘ１及びＰ＿ｃｍａｘ２の決定において、第１のＲＡＴの適正な送信が構成されることを確保するのに有用であってもよい。いくつかの実施形態では、第１のＲＡＴの特定の送信のみの知識が利用可能なことがあるので、第２の送信は第１の送信のサブセットのみを含んでもよく、又はその逆であってもよい。いくつかの実施形態では、例えば、干渉及び／又はリソース割当てにより、第２の送信は第２のＲＡＴで送信するワイヤレスデバイスのみに関連し、第１の送信は第１のＲＡＴでの送信に関連してもよい。このようにして、特定の実施形態は、それぞれの各ＲＡＴに対する最大送信電力値を決定するのに必要な情報を使用する、ワイヤレスデバイスの柔軟性を確保する。
【０１３６】
特定の実施形態では、Ｐ＿ｃｍａｘ１及び／又はＰ＿ｃｍａｘ２は、第１のＲＡＴ及び第２のＲＡＴ両方に対してスケジューリングされた送信を考慮することによって決定される。或いは、特定の実施形態では、Ｐ＿ｃｍａｘ２は、ワイヤレスデバイスが第１のＲＡＴで送信するようにスケジューリングされるか否かに関わらず、第１のＲＡＴがスケジューリングされた送信を有さないという仮定に基づいて決定される。同様に、特定の実施形態では、Ｐ＿ｃｍａｘ１は、ワイヤレスデバイスが第２のＲＡＴで送信するようにスケジューリングされるか否かに関わらず、第２のＲＡＴがスケジューリングされた送信を有さないという仮定に基づいて決定される。このようにして、Ｐ＿ｃｍａｘ１及び／又はＰ＿ｃｍａｘ２の決定は、アクセスしているＲＡＴのタイプ、並びに異なるＲＡＴにわたるリソースのスケジューリングに関する情報を調整又は取得するネットワークの能力に基づいて、設定可能であってもよい。
【０１３７】
特定の実施形態では、Ｐ＿ｃｍａｘ１及びＰ＿ｃｍａｘ２の１つ又は複数を決定することは、Ｐ＿ｃｍａｘ１及び／又はＰ＿ｃｍａｘ２に関するそれぞれの下限及び上限を決定することと、Ｐ＿ｃｍａｘ１及び／又はＰ＿ｃｍａｘ２それぞれに関するそれらの限界を有する値を使用することとを含む。
【０１３８】
特定の実施形態では、第１のＲＡＴはＬＴＥ  ＲＡＴであり、第２のＲＡＴは新無線（ＮＲ）ＲＡＴである。このようにして、ワイヤレスデバイスは、ＬＴＥ及びＮＲ  ＲＡＴの組合せを含む、マルチＲＡＴ設定に対するそれぞれの最大電力を決定してもよい。
【０１３９】
ステップ１２３０で、送信はＰ＿ｃｍａｘ１以下の電力で第１のＲＡＴで実施される。特定の実施形態では、第１のＲＡＴの送信を実施することは、第１のＲＡＴの物理チャネル又は信号を送信することを含む。第１のＲＡＴの物理チャネル又は信号は、ＰＵＳＣＨ、ＰＵＣＣＨ、ＳＲＳ、及びＰＲＡＣＨのいずれか１つであってもよい。
【０１４０】
ステップ１２４０で、送信はＰ＿ｃｍａｘ２以下の電力で第２のＲＡＴで実施される。特定の実施形態では、第２のＲＡＴの送信を実施することは、第２のＲＡＴの物理チャネル又は信号を送信することを含む。第２のＲＡＴの物理チャネル又は信号は、ＰＵＳＣＨ、ＰＵＣＣＨ、ＰＲＡＣＨ、及びＳＲＳの１つである。
【０１４１】
したがって、方法１２００は、ワイヤレスデバイスで使用され、それによってワイヤレスデバイスが、ワイヤレスデバイスの接続又は別の方法で送信に用いられてもよい、それぞれの無線アクセス技術に関する最大送信電力値（Ｐ＿ｃｍａｘ１及びＰ＿ｃｍａｘ２）を決定する、方法を示している。さらに、ワイヤレスデバイスは、決定されたそれぞれのＰ＿ｃｍａｘ１及びＰ＿ｃｍａｘ２以下の送信電力を使用して、それぞれの無線アクセス技術での送信を実施してもよい。結果として、本明細書で考察される問題の１つ又は複数に対処し、従来の技術を上回る開示の利点のうち１つ又は複数を提供する、一例の方法が提供される。
【０１４２】
特定の実施形態では、ワイヤレスデバイスが接続されるネットワークノードは、インジケータの設定を決定してもよい。インジケータは、ワイヤレスデバイスが第１のＲＡＴの第１の設定最大送信電力値（Ｐ＿ｃｍａｘ１）を決定するとき、ワイヤレスデバイスが第１のＲＡＴ及び第２のＲＡＴ両方に対してスケジューリングされた送信を考慮するか否かを示してもよい。ネットワークノードは、インジケータをワイヤレスデバイスに送信するか又は別の形で送出してもよい。いくつかの実施形態では、ネットワークノードはさらに、第１のＲＡＴで送信するためのＰ＿ｃｍａｘ１及び第２のＲＡＴで送信するためのＰ＿ｃｍａｘ２をワイヤレスデバイスが導き出す情報をワイヤレスデバイスに送出する。例えば、ネットワークノードは、第１及び／又は第２のＲＡＴに関する送信情報、例えば、どの送信がスケジューリングされるか、又はどの送信が現在送信されているかを、ワイヤレスデバイスが導き出せるようにする、情報を送信してもよい。このようにして、ネットワークは、ワイヤレスデバイスが第２のＲＡＴの送信をどのように見なすか（例えば、それらの送信を無視するか、若しくはＰ＿ｃｍａｘ１を決定するときにそれらを考慮に入れるか）を設定するのを助け、Ｐ＿ｃｍａｘ１及びＰ＿ｃｍａｘ２を導き出すのに使用される情報を提供するのを助けてもよい。
【０１４３】
いくつかの実施形態を用いて本開示について記載してきたが、多種多様な変更、変形、調整、変換、及び修正が当業者に提案されてもよく、本開示は、かかる変更、変形、調整、変換、及び修正を、添付の特許請求の範囲内にあるものとして包含するものとする。
【図１】
2021505033.tif 000003
【図２】
2021505033.tif 000004
【図３】
2021505033.tif 000005
【図４】
2021505033.tif 000006
【図５】
2021505033.tif 000007
【図６】
2021505033.tif 000008
【図７】
2021505033.tif 000009
【図８】
2021505033.tif 000010
【図９】
2021505033.tif 000011
【図１０】
2021505033.tif 000012
【図１１】
2021505033.tif 000013
【図１２】
2021505033.tif 000014
【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
ワイヤレスデバイスによって実施される方法（１２００）であって、
第１の無線アクセス技術（ＲＡＴ）で送信するための第１の設定最大送信電力値（Ｐ＿ｃｍａｘ１）を決定すること（１２１０）と、ここで前記Ｐ＿ｃｍａｘ１は、前記第１のＲＡＴを介したワイヤレスデバイスによる送信がスケジューリングされた１つ又は複数の物理チャネル又は物理信号の送信に基づいて、前記ワイヤレスデバイスによって決定され、
第２の無線アクセス技術（ＲＡＴ）で送信するための第２の設定最大送信電力値（Ｐ＿ｃｍａｘ２）を決定すること（１２２０）と、ここで前記Ｐ＿ｃｍａｘ２は、ある持続時間における前記第１のＲＡＴを介した前記ワイヤレスデバイスの送信と、同じ持続時間における前記第２のＲＡＴを介した前記ワイヤレスデバイスによる送信がスケジューリングされた１つ又は複数の物理チャネル又は物理信号の送信とに基づいて、前記ワイヤレスデバイスによって決定され、
前記Ｐ＿ｃｍａｘ１以下の電力で前記第１のＲＡＴを介して送信すること（１２３０）と、
前記Ｐ＿ｃｍａｘ２以下の電力で前記第２のＲＡＴを介して送信すること（１２４０）と、を含む、方法。
【請求項２】
前記Ｐ＿ｃｍａｘ１がさらに、少なくとも第１の最大電力低減値（ＭＰＲ１）に基づき、前記ＭＰＲ１は、前記第１のＲＡＴを介した送信がスケジューリングされた前記１つ又は複数の物理チャネル又は物理信号の送信に割り当てられるリソースブロックの数に基づいて決定される、請求項１に記載の方法。
【請求項３】
前記Ｐ＿ｃｍａｘ２がさらに、少なくとも第２の最大電力低減値（ＭＰＲ２）に基づき、前記ＭＰＲ２は、前記ある持続時間における前記第１のＲＡＴを介した前記ワイヤレスデバイスの前記送信と、前記同じ持続時間における前記第２のＲＡＴを介した前記ワイヤレスデバイスによる送信がスケジューリングされた前記１つ又は複数の物理チャネル又は物理信号の送信に割り当てられるリソースブロックの数に基づいて決定される、請求項１から３のいずれか一項に記載の方法。
【請求項４】
前記Ｐ＿ｃｍａｘ２が、前記ある持続時間における前記第１のＲＡＴの前記送信の送信電力に少なくとも部分的に基づいて決定される、請求項１に記載の方法。
【請求項５】
前記第１のＲＡＴを介した前記ワイヤレスデバイスによる送信がスケジューリングされた前記１つ又は複数の物理チャネル又は物理信号の送信は、前記第１のＲＡＴの物理アップリンク共有チャネル（ＰＵＳＣＨ）、物理アップリンク制御チャネル（ＰＵＣＣＨ）、サウンディング参照信号（ＳＲＳ）、及び物理ランダムアクセスチャネル（ＰＲＡＣＨ）の１つであり、
前記第２のＲＡＴを介した前記ワイヤレスデバイスによる送信がスケジューリングされた前記１つ又は複数の物理チャネル又は物理信号の送信は、前記第２のＲＡＴのＰＵＳＣＨ、ＰＵＣＣＨ、ＳＲＳ、及びＰＲＡＣＨの１つである、請求項１に記載の方法。
【請求項６】
前記Ｐ＿ｃｍａｘ１が、
ワイヤレスデバイス能力シグナリングの一部として前記ワイヤレスデバイスがネットワークに対して示す電力クラス値（Ｐ＿ｐｏｗｅｒｃｌａｓｓ）、
前記第１の無線アクセス技術の最大許容電力値（Ｐ＿ＲＡＴ１）、
第１の最大電力低減値（ＭＰＲ１）、及び／又は、
第１のバックオフ値（ＢＯ１）、のうちの１つ又は複数に基づいて決定される、請求項１に記載の方法。
【請求項７】
前記Ｐ＿ｃｍａｘ２が、
前記Ｐ＿ｐｏｗｅｒｃｌａｓｓ、
前記第２の無線アクセス技術の最大許容電力値（Ｐ＿ＲＡＴ２）、
第２の最大電力低減値（ＭＰＲ２）、
第２のバックオフ値（ＢＯ２）、
前記Ｐ＿ｃｍａｘ１、
前記ＭＰＲ１、及び／又は、
前記ＢＯ１、のうちの１つ又は複数に基づいて決定される、請求項６に記載の方法。
【請求項８】
前記Ｐ＿ｃｍａｘ１が、前記ＭＰＲ１及び／又は前記ＢＯ１に少なくとも部分的に基づいて決定され、前記ＭＰＲ１及び／又は前記ＢＯ１は、前記ワイヤレスデバイスが前記第２のＲＡＴで送信するようにスケジューリングされているか否かに関わらず、送信がスケジューリングされていない前記第２のＲＡＴに基づいて、前記ワイヤレスデバイスによって決定される、請求項６に記載の方法。
【請求項９】
前記Ｐ＿ｃｍａｘ２が、前記ＭＰＲ２及び／又は前記ＢＯ２に少なくとも部分的に基づいて決定され、前記ＭＰＲ２及び／又は前記ＢＯ２は、前記ある持続時間における前記第１のＲＡＴを介した前記ワイヤレスデバイスの前記送信と、前記同じ持続時間における前記第２のＲＡＴを介した前記ワイヤレスデバイスによる送信がスケジューリングされた前記１つ又は複数の物理チャネル又は物理信号の送信を考慮することによって、前記ワイヤレスデバイスによって決定される、請求項７に記載の方法。
【請求項１０】
前記第１のＲＡＴを介して送信するため、及び前記第２のＲＡＴを介して送信するための電力が両方とも、前記Ｐ＿ｃｍａｘ２に基づいて制限される、請求項１に記載の方法。
【請求項１１】
前記Ｐ＿ｃｍａｘ１がさらに、少なくとも第１の最大電力低減値（ＭＰＲ１）に基づき、前記ＭＰＲ１は、前記第１のＲＡＴを介した送信がスケジューリングされた前記１つ又は複数の物理チャネル又は物理信号の送信に割り当てられるリソースブロックの数及び位置に基づいて決定される、請求項１に記載の方法。
【請求項１２】
前記Ｐ＿ｃｍａｘ２がさらに、少なくとも第２の最大電力低減値（ＭＰＲ２）に基づき、前記ＭＰＲ２は、前記ある持続時間における前記第１のＲＡＴを介した前記送信と、前記同じ持続時間における前記第２のＲＡＴを介した送信がスケジューリングされた前記１つ又は複数の物理チャネル又は物理信号の送信とに割り当てられるリソースブロックの数及び位置に基づいて決定される、請求項１に記載の方法。
【請求項１３】
命令を記憶するように設定されたメモリ（１３０、２１５、３９０−１、３９０−２）と、
前記命令を実行するように設定された処理回路（１２０、２０１、３６０、５３８）と、を備えたワイヤレスデバイス（１１０、２００、３３０、４９１、４９２、５３０）であって、前記ワイヤレスデバイスが、
第１の無線アクセス技術（ＲＡＴ）で送信するための第１の設定最大送信電力値（Ｐ＿ｃｍａｘ１）を決定し、ここで前記Ｐ＿ｃｍａｘ１は、前記第１のＲＡＴを介したワイヤレスデバイスによる送信がスケジューリングされた１つ又は複数の物理チャネル又は物理信号の送信に基づいて、前記ワイヤレスデバイスによって決定され、
第２の無線アクセス技術（ＲＡＴ）で送信するための第２の設定最大送信電力値（Ｐ＿ｃｍａｘ２）を決定し、ここで前記Ｐ＿ｃｍａｘ２は、ある持続時間における前記第１のＲＡＴを介した前記ワイヤレスデバイスの送信と、同じ持続時間における前記第２のＲＡＴを介した前記ワイヤレスデバイスによる送信がスケジューリングされた１つ又は複数の物理チャネル又は物理信号の送信とに基づいて、前記ワイヤレスデバイスによって決定され、
前記Ｐ＿ｃｍａｘ１以下の電力で前記第１のＲＡＴを介して送信し、
前記Ｐ＿ｃｍａｘ２以下の電力で前記第２のＲＡＴを介して送信するように設定される、ワイヤレスデバイス。
【請求項１４】
前記Ｐ＿ｃｍａｘ１がさらに、少なくとも第１の最大電力低減値（ＭＰＲ１）に基づき、前記ＭＰＲ１は、前記第１のＲＡＴを介した送信がスケジューリングされた前記１つ又は複数の物理チャネル又は物理信号の送信に割り当てられるリソースブロックの数に基づいて決定される、請求項１３に記載のワイヤレスデバイス。
【請求項１５】
前記Ｐ＿ｃｍａｘ２がさらに、少なくとも第２の最大電力低減値（ＭＰＲ２）に基づき、ＭＰＲ２は、前記ある持続時間における前記第１のＲＡＴを介した前記ワイヤレスデバイスの前記送信と、前記同じ持続時間における前記第２のＲＡＴを介した前記ワイヤレスデバイスによる送信がスケジューリングされた前記１つ又は複数の物理チャネル又は物理信号の送信に割り当てられるリソースブロックの数に基づいて決定される、請求項１３に記載のワイヤレスデバイス。
【請求項１６】
前記Ｐ＿ｃｍａｘ２が、前記ある持続時間における前記第１のＲＡＴの前記送信の送信電力に少なくとも部分的に基づいて決定される、請求項１３に記載のワイヤレスデバイス。
【請求項１７】
前記第１のＲＡＴを介した前記ワイヤレスデバイスによる送信がスケジューリングされた前記１つ又は複数の物理チャネル又は物理信号の送信は、前記第１のＲＡＴの物理アップリンク共有チャネル（ＰＵＳＣＨ）、物理アップリンク制御チャネル（ＰＵＣＣＨ）、サウンディング参照信号（ＳＲＳ）、及び物理ランダムアクセスチャネル（ＰＲＡＣＨ）の１つであり、
前記第２のＲＡＴを介した前記ワイヤレスデバイスによる送信がスケジューリングされた前記１つ又は複数の物理チャネル又は物理信号の送信は、前記第２のＲＡＴのＰＵＳＣＨ、ＰＵＣＣＨ、ＳＲＳ、及びＰＲＡＣＨの１つである、請求項１３に記載のワイヤレスデバイス。
【請求項１８】
前記Ｐ＿ｃｍａｘ１が、
ワイヤレスデバイス能力シグナリングの一部として前記ワイヤレスデバイスがネットワークに対して示す電力クラス値（Ｐ＿ｐｏｗｅｒｃｌａｓｓ）、
前記第１の無線アクセス技術の最大許容電力値（Ｐ＿ＲＡＴ１）、
第１の最大電力低減値（ＭＰＲ１）、及び／又は、
第１のバックオフ値（ＢＯ１）、のうち１つ又は複数に基づいて決定される、請求項１３に記載のワイヤレスデバイス。
【請求項１９】
前記Ｐ＿ｃｍａｘ２が、
前記Ｐ＿ｐｏｗｅｒｃｌａｓｓ、
前記第２の無線アクセス技術の最大許容電力値（Ｐ＿ＲＡＴ２）、
第２の最大電力低減値（ＭＰＲ２）、
第２のバックオフ値（ＢＯ２）、
前記Ｐ＿ｃｍａｘ１、
前記ＭＰＲ１、及び／又は、
前記ＢＯ１、のうち１つ又は複数に基づいて決定される、請求項１８に記載のワイヤレスデバイス。
【請求項２０】
前記Ｐ＿ｃｍａｘ１が、前記ＭＰＲ１及び／又は前記ＢＯ１に少なくとも部分的に基づいて決定され、前記ＭＰＲ１及び／又は前記ＢＯ１は、前記ワイヤレスデバイスが前記第２のＲＡＴで送信するようにスケジューリングされているか否かに関わらず、送信がスケジューリングされていない前記第２のＲＡＴに基づいて、前記ワイヤレスデバイスによって決定される、請求項１８に記載のワイヤレスデバイス。
【請求項２１】
前記Ｐ＿ｃｍａｘ２が、前記ＭＰＲ２及び／又は前記ＢＯ２に少なくとも部分的に基づいて決定され、前記ＭＰＲ２及び／又は前記ＢＯ２は、前記ある持続時間における前記第１のＲＡＴを介した前記ワイヤレスデバイスの前記送信と、前記同じ持続時間における前記第２のＲＡＴを介した前記ワイヤレスデバイスによる送信がスケジューリングされた前記１つ又は複数の物理チャネル又は物理信号の送信を考慮することによって、前記ワイヤレスデバイスによって決定される、請求項１９に記載のワイヤレスデバイス。
【請求項２２】
前記第１のＲＡＴを介して送信するため、及び前記第２のＲＡＴを介して送信するための電力が両方とも、前記Ｐ＿ｃｍａｘ２に基づいて制限される、請求項１３に記載のワイヤレスデバイス。
【請求項２３】
前記Ｐ＿ｃｍａｘ１がさらに、少なくとも第１の最大電力低減値（ＭＰＲ１）に基づき、前記ＭＰＲ１は、前記第１のＲＡＴを介した送信がスケジューリングされた前記１つ又は複数の物理チャネル又は物理信号の送信に割り当てられるリソースブロックの数及び位置に基づいて決定される、請求項１３に記載のワイヤレスデバイス。
【請求項２４】
前記Ｐ＿ｃｍａｘ２がさらに、少なくとも第２の最大電力低減値（ＭＰＲ２）に基づき、前記ＭＰＲ２は、前記ある持続時間における前記第１のＲＡＴを介した前記送信と、前記同じ持続時間における前記第２のＲＡＴを介した送信がスケジューリングされた前記１つ又は複数の物理チャネル又は物理信号の送信とに割り当てられるリソースブロックの数及び位置に基づいて決定される、請求項１３に記載のワイヤレスデバイス。
【請求項２５】
コンピュータ可読プログラムコードを記憶する非一時的コンピュータ可読媒体（１３０、２１５、３９０−１、３９０−２）を備え、前記コンピュータ可読プログラムコードが、
第１の無線アクセス技術（ＲＡＴ）で送信するための第１の設定最大送信電力値（Ｐ＿ｃｍａｘ１）を決定するためのプログラムコードと、ここで前記Ｐ＿ｃｍａｘ１は、前記第１のＲＡＴを介したワイヤレスデバイスによる送信がスケジューリングされた１つ又は複数の物理チャネル又は物理信号の送信に基づいて、前記ワイヤレスデバイスによって決定され、
第２のＲＡＴで送信するための第２の設定最大送信電力値（Ｐ＿ｃｍａｘ２）を決定するためのプログラムコードと、ここで前記Ｐ＿ｃｍａｘ２は、ある持続時間における前記第１のＲＡＴを介した前記ワイヤレスデバイスの送信と、同じ持続時間における前記第２のＲＡＴを介した前記ワイヤレスデバイスによる送信がスケジューリングされた１つ又は複数の物理チャネル又は物理信号の送信とに基づいて、前記ワイヤレスデバイスによって決定され、
前記Ｐ＿ｃｍａｘ１以下の電力で前記第１のＲＡＴを介して送信するためのプログラムコードと、
前記Ｐ＿ｃｍａｘ２以下の電力で前記第２のＲＡＴを介して送信するためのプログラムコードと、を含む、コンピュータプログラム製品。
【請求項２６】
前記ワイヤレスデバイスがさらに、前記第２のＲＡＴを介した前記ワイヤレスデバイスの送信を考慮せずに、前記Ｐ＿ｃｍａｘ１を決定するように設定されている、請求項１３に記載のワイヤレスデバイス。
【請求項２７】
前記Ｐ＿ｃｍａｘ２が基づいて決定される、前記ある持続時間における前記第１のＲＡＴを介した前記ワイヤレスデバイスの前記送信は、前記Ｐ＿ｃｍａｘ１が基づいて決定される、前記第１のＲＡＴを介した前記ワイヤレスデバイスによる送信がスケジューリングされた前記１つ又は複数の物理チャネル又は物理信号の送信と同一である、請求項１３に記載のワイヤレスデバイス。
【請求項２８】
Ｐ＿ｃｍａｘ１を決定することは、前記ワイヤレスデバイスが、Ｐ＿ｃｍａｘ１の下限及び上限を決定することと、Ｐ＿ｃｍａｘ１の前記下限及び前記上限内の値を使用するように設定されていることを含み、
Ｐ＿ｃｍａｘ２を決定することは、前記ワイヤレスデバイスが、Ｐ＿ｃｍａｘ２の下限及び上限を決定することと、Ｐ＿ｃｍａｘ２の前記下限及び前記上限内の値を使用するように設定されていることを含む、請求項１３に記載のワイヤレスデバイス。
【国際調査報告】
2021505033.tif 000015
2021505033.tif 000016
2021505033.tif 000017